(57)【特許請求の範囲】
【請求項１】
中心側にリードインエリアを持ち、その外周にオーディオゾーンとビデオゾーンを含むボリュームスペースを持ち、そのさらに外周にリードアウトエリアを持つ情報記録媒体であって、前記オーディオゾーンは、オーディオ管理情報および１以上のオーディオタイトルセットを含み、前記オーディオタイトルセットは、管理情報としてのオーディオタイトルセット情報と、１以上のプログラムに対応した記録内容として、マルチチャネルのオーディオデータを持つオーディオオンリータイトルのオーディオオブジェクトセットを含み、前記オーディオタイトルセット情報は、管理情報テーブルと、前記プログラムの集まりを管理するプログラムチェーン情報を含み、前記管理情報テーブルが、前記マルチチャネルのオーディオデータを２チャネル出力にミックスダウンする際の係数を示すミックスダウン係数テーブルを１以上含んで構成され、前記プログラムチェーン情報が、前記プログラムを管理する１以上のプログラム情報を含み、前記プログラム情報が、前記プログラムの内容を記述した内容情報を含み、前記内容情報が、前記ミックスダウン係数テーブルのテーブル番号を示す記述を含んで構成され、
前記オーディオタイトルセットがオーディオオンリータイトルのオーディオオブジェクトセットを持たなくても前記１以上のミックスダウン係数テーブル用のエリアは存在し、前記オーディオタイトルセットがオーディオオンリータイトルのオーディオオブジェクトセットを持たないときは、前記１以上のミックスダウン係数テーブルそれぞれにゼロデータが書き込まれるように構成されたことを特徴とするデジタル情報記録媒体。
【請求項２】
中心側にリードインエリアを持ち、その外周にオーディオゾーンとビデオゾーンを含むボリュームスペースを持ち、そのさらに外周にリードアウトエリアを持つ情報記録媒体であって、前記オーディオゾーンがオーディオ管理情報および１以上のオーディオタイトルセットを含むように構成され、前記オーディオタイトルセットが、管理情報としてのオーディオタイトルセット情報と、１以上のプログラムに対応した記録内容としてマルチチャネルのオーディオデータを持つオーディオオンリータイトルのオーディオオブジェクトセットを含むように構成され、前記オーディオタイトルセット情報が、管理情報テーブルと、前記プログラムの集まりを管理するプログラムチェーン情報を含むように構成され、前記管理情報テーブルが、前記マルチチャネルのオーディオデータを２チャネル出力にミックスダウンする際の係数を示すミックスダウン係数テーブルを１以上含んで構成され、前記プログラムチェーン情報が前記プログラムを管理する１以上のプログラム情報を含むように構成され、前記プログラム情報が前記プログラムの内容を記述した内容情報を含むように構成され、前記内容情報が前記ミックスダウン係数テーブルのテーブル番号を示す記述を含むように構成され、前記オーディオタイトルセットがオーディオオンリータイトルのオーディオオブジェクトセットを持たなくても前記１以上のミックスダウン係数テーブル用のエリアは存在し、前記オーディオタイトルセットがオーディオオンリータイトルのオーディオオブジェクトセットを持たないときは前記１以上のミックスダウン係数テーブルそれぞれにゼロデータが書き込まれるように構成されたデジタル情報記録媒体に対して情報記録を行う記録方法において、
前記オーディオタイトルセットを前記オーディオゾーンに記録し、記録された前記オーディオタイトルセット内に、前記ミックスダウン係数テーブルを含む前記管理情報テーブルを記録するとともに、前記テーブル番号を示す記述を含む前記内容情報を記録するように構成したことを特徴とする記録方法。
【請求項３】
中心側にリードインエリアを持ち、その外周にオーディオゾーンとビデオゾーンを含むボリュームスペースを持ち、そのさらに外周にリードアウトエリアを持つ情報記録媒体であって、前記オーディオゾーンがオーディオ管理情報および１以上のオーディオタイトルセットを含み、前記オーディオタイトルセットが、管理情報としてのオーディオタイトルセット情報と、１以上のプログラムに対応した記録内容としてマルチチャネルのオーディオデータを持つオーディオオンリータイトルのオーディオオブジェクトセットを含み、前記オーディオタイトルセット情報が、管理情報テーブルと、前記プログラムの集まりを管理するプログラムチェーン情報を含み、前記管理情報テーブルが、前記マルチチャネルのオーディオデータを２チャネル出力にミックスダウンする際の係数を示すミックスダウン係数テーブルを１以上含んで構成され、前記プログラムチェーン情報が前記プログラムを管理する１以上のプログラム情報を含み、前記プログラム情報が前記プログラムの内容を記述した内容情報を含み、前記内容情報が前記ミックスダウン係数テーブルのテーブル番号を示す記述を含むように構成され、前記オーディオタイトルセットがオーディオオンリータイトルのオーディオオブジェクトセットを持たなくても前記１以上のミックスダウン係数テーブル用のエリアは存在し、前記オーディオタイトルセットがオーディオオンリータイトルのオーディオオブジェクトセットを持たないときは前記１以上のミックスダウン係数テーブルそれぞれにゼロデータが書き込まれるように構成されたデジタル情報記録媒体から記録情報の再生を行う再生方法において、
前記オーディオタイトルセット情報を再生して、再生したオーディオタイトルセット情報に含まれる前記ミックスダウン係数テーブルおよび前記内容情報を取り出し、取り出した前記内容情報内に含まれる前記テーブル番号を示す記述に基づいて、前記マルチチャネルのオーディオデータを２チャネル出力にミックスダウンする際の係数を示す前記ミックスダウン係数テーブルを特定し、特定された前記ミックスダウン係数テーブルに基づいて、２チャネル再生を行うように構成したことを特徴とする再生方法。
【請求項４】
中心側にリードインエリアを持ち、その外周にオーディオゾーンとビデオゾーンを含むボリュームスペースを持ち、そのさらに外周にリードアウトエリアを持つ情報記録媒体であって、前記オーディオゾーンがオーディオ管理情報および１以上のオーディオタイトルセットを含み、前記オーディオタイトルセットが、管理情報としてのオーディオタイトルセット情報と、１以上のプログラムに対応した記録内容としてマルチチャネルのオーディオデータを持つオーディオオンリータイトルのオーディオオブジェクトセットを含み、前記オーディオタイトルセット情報が、管理情報テーブルと、前記プログラムの集まりを管理するプログラムチェーン情報を含み、前記管理情報テーブルが、前記マルチチャネルのオーディオデータを２チャネル出力にミックスダウンする際の係数を示すミックスダウン係数テーブルを１以上含んで構成され、前記プログラムチェーン情報が前記プログラムを管理する１以上のプログラム情報を含み、前記プログラム情報が前記プログラムの内容を記述した内容情報を含み、前記内容情報が前記ミックスダウン係数テーブルのテーブル番号を示す記述を含むように構成され、前記オーディオタイトルセットがオーディオオンリータイトルのオーディオオブジェクトセットを持たなくても前記１以上のミックスダウン係数テーブル用のエリアは存在し、前記オーディオタイトルセットがオーディオオンリータイトルのオーディオオブジェクトセットを持たないときは前記１以上のミックスダウン係数テーブルそれぞれにゼロデータが書き込まれるように構成されたデジタル情報記録媒体から記録情報の再生を行う再生装置において、
前記オーディオタイトルセット情報を再生して、再生したオーディオタイトルセット情報に含まれる前記ミックスダウン係数テーブルおよび前記内容情報を取り出す手段を備え、取り出した前記内容情報内に含まれる前記テーブル番号を示す記述に基づいて、前記マルチチャネルのオーディオデータを２チャネル出力にミックスダウンする際の係数を示す前記ミックスダウン係数テーブルを特定し、特定された前記ミックスダウン係数テーブルに基づいて、２チャネル再生を行うように構成したことを特徴とする再生装置。
【発明の詳細な説明】
【０００１】
【発明の属する技術分野】
この発明は、複数のコンテンツ（種々なビデオコンテンツ、種々なオーディオコンテンツ等）のオブジェクトを共有化するシステムに関する。
【０００２】
また、この発明は、複数コンテンツのオブジェクトを共有化するための管理データを持つ情報媒体、この媒体から記録情報を再生する装置、この媒体に前記管理データを含む情報を記録する方法、およびこの媒体から前記管理データに基づき情報を再生する方法に関する。
【０００３】
【従来の技術】
ビデオ（動画）を高画質・高密度で記録できるとともに、マルチアングル映像・副映像・マルチリンガル音声・多チャンネルオーディオなど種々な情報の記録もできる光ディスクとして、ＤＶＤビデオディスクが開発され、一般市場への普及・浸透が始まっている（ＤＶＤはデジタル・バーサタイル・ディスクの略称）（例えば特許文献１参照）。
【０００４】
【特許文献１】
特開平９−２５９５７２号公報（段落０００８〜００２５、図１）。
【０００５】
このＤＶＤビデオディスクは、圧縮多チャネルオーディオ（ＡＣー３、ＭＰＥＧ等）とともに非圧縮リニアＰＣＭ（４８ｋＨｚサンプリング・１６ビット量子化から９６ｋＨｚサンプリング・２４ビットまで）もサポートできる仕様となっている。このＤＶＤビデオのリニアＰＣＭは従来の音楽ＣＤ（４４．１ｋＨｚサンプリング・１６ビット量子化）を上回るハイサンプリング・ハイビットの高音質仕様であり、とくに９６ｋＨｚサンプリング・２０〜２４ビットのリニアＰＣＭは、次世代デジタルオーディオディスク（俗にスーパーＣＤまたはスーパーオーディオディスクといわれるもの）としての資格を十分備えている。
【０００６】
しかしながら、ＤＶＤビデオの仕様はどちらかといえばオーディオよりも映像優先で作成されており、サンプリング周波数・量子化ビット数のみならず記録可能なチャネル数や記録可能時間等に関して、ＤＶＤビデオの音声仕様をさらに上回るオーディオ優先の仕様も期待されている。
【０００７】
上記期待に答える形で、ＤＶＤオーディオ仕様が検討されるに至った（ただし、このＤＶＤオーディオ仕様はまだ従来技術ではない）。このＤＶＤオーディオ仕様では、ＤＶＤビデオで採用されている４８Ｋ〜９６ｋＨｚサンプリング・１６〜２４ビットのリニアＰＣＭは当然として、１９２ｋＨｚサンプリング・２４ビットのリニアＰＣＭまでサポート可能となっている。また、ＤＶＤオーディオ仕様の将来のバージョンアップにおいて、さらに高音質仕様が導入される可能性も残している。
【０００８】
このようにＤＶＤオーディオが将来的なスケールアップに対応できるのは、デジタルハイビジョン映像までターゲットに入っている大容量記録が可能なＤＶＤビデオと共通利用できる部分が、ＤＶＤオーディオにあるからである。
【０００９】
また、ＤＶＤオーディオは、ＤＶＤビデオの進化に伴い利用可能になる将来の技術的・市場的・経済的アドバンテージを享受できる特徴を持っている。
【００１０】
たとえば、ＤＶＤビデオで今後実用化される大容量ＤＶＤディスクをＤＶＤオーディオに利用することにより、記録時間を一定とすれば、記録に用いるサンプリング周波数・量子化ビット数・記録チャネル数等をどんどん増やして行ける可能性を持っている。近い将来実用化されるＤＶＤーＲＡＭ（または書換可能なＤＶＤーＲＷあるいはライトワンスのＤＶＤ−Ｒ）を用いたＤＶＤビデオレコーダの技術は、いずれ実用化されるであろうＤＶＤオーディオレコーダにも利用可能となる。
【００１１】
さらに、ＤＶＤビデオの普及によりその市場規模が広がれば、ＤＶＤビデオとＤＶＤオーディオとの間で、媒体（ＤＶＤーＲＯＭディスク、ＤＶＤーＲＡＭ／ＤＶＤ−ＲＷディスク、ＤＶＤーＲディスクなど）、装置部品（ディスクドライブ、光ピックアップ、各種ＩＣなど）、各種制御プログラムその他の共通化が進み、高音質で多くの特徴を持つＤＶＤオーディオの製品コストダウンも加速される。そして、ＤＶＤオーディオが広く普及すれば、ＤＶＤビデオも、ＤＶＤオーディオの進化に伴い利用可能になる将来の技術的・市場的・経済的アドバンテージを享受できるようになる。
【００１２】
【発明が解決しようとする課題】
ところで、ビデオ（映像）あるいはオーディオ（音楽等）のコンテンツの再生を制御するための管理方法は、従来（たとえばコンパクトディスクＣＤやレーザディスクＬＤ）は、それぞれの目的に従って制作されたコンテンツの再生を管理するのが一般的であった。これに対し、最近のユーザーの要求の多様化に伴い、映像と音楽の境界が曖昧になり、映像として単独に再生可能なコンテンツの一部を音楽でも利用したい、あるいは音楽用として作られた映像を映像単独で再生可能とすることで、コンテンツを相互に共通して利用したいという要求が、これらコンテンツの制作者（コンテンツプロバイダ）の間で高まっている。
【００１３】
上述したコンテンツプロバイダの要求に、この発明に係るＤＶＤオーディオ仕様ならば答えることができる。すなわち、ＤＶＤオーディオ仕様は映像よりもオーディオ優先で検討されているが、ＤＶＤビデオとＤＶＤオーディオとでコンパチブルなシステムの構築が可能である。つまり、ＤＶＤオーディオ仕様において、コンテンツがＤＶＤオーディオのみのオーディオ・オンリーディスク（Ａ・ディスク）とともに、コンテンツがオーディオとビデオを含むオーディオ＋ビデオディスク（ＡＶディスク）が可能である。その場合、ＡＶディスクのオーディオコンテンツ再生時にそのビデオコンテンツにもアクセスできるようにすることが可能である。
【００１４】
また、この発明に係るＤＶＤオーディオ仕様では、ＤＶＤビデオ仕様のサブセットとしてのビデオ映像のみならず、高音質仕様の音声に高精細なスチル画を付加することも、テキスト情報を付加することも、メニュー（コンテンツプロバイダが自由にデザインできるビジュアルメニュー）を付加することも、可能となっている。
【００１５】
この発明の第１の目的は、前述したＤＶＤオーディオの仕様において、ＤＶＤオーディオ情報のみならずＤＶＤビデオ情報の一部（たとえば一部の映像）にもアクセスできるようにしたデジタル情報媒体を提供することである。
【００１６】
この発明の第２の目的は、上記デジタル情報媒体から情報を再生する装置を提供することである。
【００１７】
この発明の第３の目的は、上記デジタル情報媒体に情報を記録する方法を提供することである。
【００１８】
この発明の第４の目的は、上記デジタル情報媒体から情報を再生する方法を提供することである。
【００１９】
【課題を解決するための手段】
この発明に係るデジタル情報記録媒体は、中心側にリードインエリアを持ち、その外周にオーディオゾーンとビデオゾーンを含むボリュームスペースを持ち、そのさらに外周にリードアウトエリアを持つ。この情報記録媒体において、前記オーディオゾーンは、オーディオ管理情報および１以上のオーディオタイトルセットを含む。前記オーディオタイトルセットは、管理情報としてのオーディオタイトルセット情報と、１以上のプログラムに対応した記録内容として、マルチチャネルのオーディオデータを持つオーディオオブジェクトセットを含む。前記オーディオタイトルセット情報は、管理情報テーブルと、前記プログラムの集まりを管理するプログラムチェーン情報を含む。前記管理情報テーブルは、前記マルチチャネルのオーディオデータを２チャネル出力にミックスダウンする際の係数を示すミックスダウン係数テーブルを１以上含んで構成される。前記プログラムチェーン情報は前記プログラムを管理する１以上のプログラム情報を含み、前記プログラム情報は前記プログラムの内容を記述した内容情報を含む。そして、前記内容情報が、前記ミックスダウン係数テーブルのテーブル番号を示す記述を含んで構成されている。
【００２０】
【発明の実施の形態】
以下、図面を参照して、この発明の一実施の形態に係るデジタル情報記録再生システムを説明する。
【００２１】
図１は、ＤＶＤオーディオの記録媒体として利用可能な光ディスクの構造を説明する斜視図である。
【００２２】
図１に示すように、この光ディスク１０は、それぞれ記録層１７が設けられた一対の透明基板１４を接着層２０で貼り合わせた構造を持つ。各基板１４は０．６ｍｍ厚のポリカーボネートで構成することができ、接着層２０は極薄（たとえば４０μｍ厚）の紫外線硬化性樹脂で構成することができる。これら一対の０．６ｍｍ基板１４を、記録層１７が接着層２０の面上で接触するようにして貼り合わすことにより、１.２ｍｍ厚の大容量光ディスク１０が得られる。
【００２３】
光ディスク１０には中心孔２２が設けられており、ディスク両面の中心孔２２の周囲には、この光ディスク１０を回転駆動時にクランプするためのクランプエリア２４が設けられている。中心孔２２には、図示しないディスクドライブ装置に光ディスク１０が装填された際に、ディスクモータのスピンドルが挿入される。そして、光ディスク１０は、そのクランプエリア２４において、図示しないディスククランパにより、ディスク回転中クランプされる。
【００２４】
光ディスク１０は、クランプエリア２４の周囲に、ビデオデータ、オーディオデータその他の情報を記録することができる情報エリア２５を有している。
【００２５】
情報エリア２５のうち、その外周側にはリードアウトエリア２６が設けられている。また、クランプエリア２４に接する内周側にはリードインエリア２７が設けられている。そして、リードアウトエリア２６とリードインエリア２７との間にデータ記録エリア２８が定められている。
【００２６】
情報エリア２５の記録層（光反射層）１７には、記録トラックがたとえばスパイラル状に連続して形成されている。その連続トラックは複数の物理セクタに分割され、これらのセクタには連続番号が付されている。このセクタを記録単位として、光ディスク１０に種々なデータが記録される。
【００２７】
データ記録エリア２８は、実際のデータ記録領域であって、ＤＶＤオーディオデータの記録領域およびＤＶＤビデオデータの記録領域を含んでいる。（ピュアオーディオディスクの場合はＤＶＤビデオデータ記録領域は使用されないことがある。）
ＤＶＤオーディオデータの記録領域には、記録・再生情報として、主にオーディオデータが、ピット列（レーザ反射光に光学的な変化をもたらす物理的な形状あるいは相状態）として記録されている。場合によっては、このＤＶＤオーディオデータ記録領域に、スチル画データが記録されることもある。また、このＤＶＤオーディオデータ記録領域に記録されるオーディオデータは、通常の音楽データの他に、全くの無音データ（音楽としての無音部分ではなく意図的に音を出さないデータ）を含むことができる。
【００２８】
一方、ＤＶＤビデオデータの記録領域には、記録・再生情報として、映画等のビデオデータ（主映像データ）、字幕・メニュー等の副映像データおよび台詞・効果音等のオーディオデータが、同様なピット列で記録されている。
【００２９】
なお、光ディスク１０が片面１層で両面記録のＤＶＤ−ＲＡＭディスク（またはリライタブルディスク；ＤＶＤ−ＲＷディスク）の場合は、各記録層１７は、２つの硫化亜鉛・酸化シリコン混合物（ＺｎＳ・ＳｉＯ２）で相変化記録材料層（たとえばＧｅ２Ｓｂ２Ｔｅ５）を挟み込んだ３重層により構成できる。
【００３０】
光ディスク１０が片面１層で片面記録のＲＡＭディスクの場合は、読み出し面１９側の記録層１７は、上記相変化記録材料層を含む３重層により構成できる。この場合、読み出し面１９から見て反対側に配置される層１７は情報記録層である必要はなく、単なるダミー層でよい。
【００３１】
光ディスク１０が片面読み取り型の２層ＲＡＭ／ＲＯＭディスクの場合は、２つの記録層１７は、１つの相変化記録層（読み出し面１９からみて奥側；読み書き用）と１つの半透明金属反射層（読み出し面１９からみて手前側；再生専用）で構成できる。
【００３２】
光ディスク１０がライトワンスのＤＶＤーＲである場合は、基板としてはポリカーボネートが用いられ、、図示しない反射膜としては金、図示しない保護膜としては紫外線硬化樹脂を用いることができる。この場合、記録層１７には有機色素が用いられる。この有機色素としては、シアニン、スクアリリウム、クロコニック、トリフェニルメンタン系色素、キサンテン、キノン系色素（ナフトキン、アントラキノン等）、金属錯体系色素（フタロシアン、ボルフィリン、ジチオール錯体等）その他が利用可能である。
【００３３】
このようなＤＶＤ−Ｒディスクへのデータ書き込みは、たとえば波長６５０ｎｍで出力６〜１２ｍＷ程度の半導体レーザを用いて行うことができる。
【００３４】
光ディスク１０が片面読み取り型の２層ＲＯＭディスクの場合は、２つの記録層１７は、１つの金属反射層（読み出し面１９からみて奥側）と１つの半透明金属反射層（読み出し面１９からみて手前側）で構成できる。
【００３５】
読み出し専用のＤＶＤーＲＯＭディスク（ＤＶＤオーディオおよび／またはＤＶＤビデオ用）１０では、基板１４にピット列が予めスタンパーで形成され、このピット列が形成された基板１４の面に金属等の反射層が形成され、この反射層が記録層１７として使用されることになる。このようなＤＶＤ−ＲＯＭディスク１０では、通常、記録トラックとしてのグルーブは特に設けられず、基板１４の面に形成されたピット列がトラックとして機能するようになっている。
【００３６】
上記各種の光ディスク１０において、再生専用のＲＯＭ情報はエンボス信号として記録層１７に記録される。これに対して、読み書き用（またはライトワンス用）の記録層１７を持つ基板１４にはこのようなエンボス信号は刻まれておらず、その代わりに連続のグルーブ溝が刻まれている。このグルーブ溝に、相変化記録層等が設けられるようになっている。読み書き用ＤＶＤーＲＡＭディスクの場合は、さらに、グルーブの他にランド部分の相変化記録層も情報記録に利用される。
【００３７】
なお、光ディスク１０が片面読み取りタイプ（記録層が１層でも２層でも）の場合は、読み出し面１９から見て裏側の基板１４は読み書き用レーザに対して透明である必要はない。この場合は裏側基板１４全面にラベル印刷がされていてもよい。
【００３８】
図２は、図１の光ディスク１０のデータ記録エリア２８とそこに記録されるデータの記録トラックとの対応関係を説明する図である。
【００３９】
ディスク１０がＤＶＤ−ＲＡＭ（またはＤＶＤ−ＲＷ）の場合は、デリケートなディスク面を保護するために、ディスク１０の本体が図示しないカートリッジに収納されるようになっている。ＤＶＤ−ＲＡＭディスク１０がカートリッジごと後述するＤＶＤプレーヤ（図２９〜図３０）のディスクドライブに挿入されると、カートリッジからディスク１０が引き出されて図示しないスピンドルモータのターンテーブルにクランプされ、図示しない光ヘッドに向き合うようにして回転駆動される。
【００４０】
一方、ディスク１０がＤＶＤーＲまたはＤＶＤーＲＯＭの場合は、ディスク１０の本体はカートリッジに収納されておらず、裸のディスク１０がディスクドライブのディスクトレイに直接セットされるようになる。
【００４１】
図１に示した情報エリア２５の記録層１７には、データ記録トラックがスパイラル状に連続して形成されている。その連続するトラックは、図２に示すように一定記憶容量の複数論理セクタ（最小記録単位）に分割され、この論理セクタを基準にデータが記録されている。１つの論理セクタの記録容量は、１パックのデータ長と同じ２０４８バイト（あるいは２ｋバイト）に決められている。
【００４２】
データ記録エリア２８には、実際のデータ記録領域であって、ＤＶＤオーディオ用に管理データおよび音声データが記録され、ＤＶＤビデオ用に管理データ、主映像（ビデオ）データ、副映像データおよび音声データが同様に記録されている。
【００４３】
なお、図示はしないが、図２のディスク１０がＤＶＤーＲＡＭディスクの場合、そのデータ記録エリア２８を、リング状（年輪状）に複数の記録エリア（複数の記録ゾーン）に分割することができる。この場合、各記録ゾーン毎にディスク回転の角速度は異なるが、各ゾーン内では線速度または角速度を一定にすることができる。図２のディスク１０がＤＶＤーＲＯＭディスクの場合は、データ記録エリア２８の全域に種々なデータが線速度一定で記録される。
【００４４】
図３は、図２の光ディスクに記録される種々な情報のうち、ＤＶＤオーディオゾーンに記録される情報の階層構造を説明する図である。
【００４５】
図２の光ディスク１０に形成されたデータ記録エリア２８は、図３に示すような構造を有している。この構造の論理フォーマットは、たとえば標準規格の１つであるＩＳＯ９６６０およびユニバーサルディスクフォーマット（ＵＤＦ）ブリッジに準拠して定められている。
【００４６】
リードインエリア２７からリードアウトエリア２６までの間のデータ記録エリア２８は、ボリュームスペース２８として割り当てられる。このボリュームスペース２８は、ボリュームおよびファイル構造の情報のための空間（ボリューム／ファイル構造７０）と、ＤＶＤ規格のアプリケーションのための空間（ＤＶＤオーディオゾーン７１およびＤＶＤビデオゾーン７２）と、この規格のアプリケーション以外のための空間（他記録エリア７３）を含むことができる。
【００４７】
ボリュームスペース２８は、多数のセクタに物理的に分割され、それらの物理的セクタには連続番号が付されている。このボリュームスペース（図２のデータ記録エリア）２８に記録されるデータの論理アドレスは、ＩＳＯ９６６０およびＵＤＦブリッジで定められるように、論理セクタ番号を意味している。ここでの論理セクタサイズは、物理セクタの有効データサイズと同様に、２０４８バイト（２ｋバイト）としてある。論理セクタ番号は、物理セクタ番号の昇順に対応して連続番号が付加されている。
【００４８】
なお、論理セクタと異なり、物理セクタにはエラー訂正情報等の冗長な情報が付加されている。このため、物理セクタサイズは、正確に言うと論理セクタサイズと一致しない。
【００４９】
図３に示すように、ボリュームスペース２８は、ボリューム／ファイル構造領域７０、ＤＶＤオーディオゾーン７１、ＤＶＤビデオゾーン７２および他の記録領域７３を含んでいる。これらの各領域（７０〜７３）は、図２の論理セクタの境界上で区分されている。ここで、１論理セクタは２０４８バイトと定義され、１論理ブロックも２０４８バイトと定義される。したがって、１論理セクタは１論理ブロックと対等に定義される。
【００５０】
ボリューム／ファイル構造領域７０は、ＩＳＯ９６６０およびＵＤＦブリッジに定められる管理領域に相当する。この領域７０の記述に基づいて、オーディオマネージャ７１１の内容が、後述するＤＶＤプレーヤ（図２９）内部のシステムメモリに格納される。
【００５１】
ＤＶＤオーディオゾーン７１は、オーディオマネージャ（ＡＭＧ）７１１および１以上のオーディオタイトルセット（ＡＴＳ＃ｍ）７１２から構成される（オーディオタイトルセットの数ｍは最大９９）。
【００５２】
ＡＭＧ７１１は、オーディオマネージャ情報（ＡＭＧＩ）ファイル７１１０と、オーディオマネージャメニュー用ビデオオブジェクトセット（ＡＭＧＭ＿ＶＯＢＳ）ファイル７１１１とオーディオマネージャ情報バックアップ（ＡＭＧＩ＿ＢＵＰ）ファイル７１１２とで構成される。なお、ＡＭＧＭ＿ＶＯＢＳ７１１１はオプションのファイルであり、無い場合もある。
【００５３】
各ＡＴＳ７１２は、オーディオタイトルセット情報（ＡＴＳＩ）ファイル７１２０と、オーディオ・オンリータイトルのオーディオオブジェクトセット（ＡＯＴＴ＿ＡＯＢＳ）ファイル７１２１と、オーディオタイトルセット情報バックアップ（ＡＴＳＩ＿ＢＵＰ）ファイル７１２３とで構成される。なお、ＡＯＴＴ＿ＡＯＢＳ７１２１は１ないし９ファイルで構成されるが、これらはオプションのファイルであり、無い場合もある。
【００５４】
図６を参照して後述するが、ＡＯＴＴ＿ＡＯＢＳ７１２１は、１以上のオーディオオブジェクトＡＯＢの集まりを定義している。各ＡＯＢは１以上のオーディオタイトルセット・セル（ＡＴＳ＿Ｃ＃）の集まりを定義している。そして、１以上のセルの集まりによってオーディオタイトルセットのプログラムが構成され、１以上のプログラムの集まりによってオーディオタイトルセットのプログラムチェーンＰＧＣが構成される。
【００５５】
１つのＰＧＣを１本のオペラに例えれば、このＰＧＣを構成する複数のセルはそのオペラ中の種々なシーンの音楽あるいは歌唱部分に対応すると解釈可能である。このＰＧＣの中身（あるいはセルの中身）は、ディスク１０に記録される内容を制作するソフトウエアプロバイダにより決定される。すなわち、プロバイダは、ＡＴＳ内のプログラムチェーン情報ＡＴＳ＿ＰＧＣＩに書き込まれたセル再生情報ＡＴＳ＿Ｃ＿ＰＢＩを用いて、ＡＯＴＴ＿ＡＯＢＳ７１２１を構成するセルを意図通りに再生させることができる。（ＡＴＳ＿ＰＧＣＩおよびＡＴＳ＿Ｃ＿ＰＢＩについては、図２４〜図２８を参照して後述する。）
他の記録エリア７３には、上述したビデオタイトルセットＶＴＳ７２で利用可能な情報、あるいはビデオタイトルセットとは関係ない他の情報を記録することができる。このエリア７３は必須ではなく、使用しないなら削除されてもよい。
【００５６】
図４は、図２の光ディスクに記録される種々な情報のうち、ＤＶＤビデオゾーンに記録される情報の階層構造を説明する図である。以下、図３で説明済みの部分の説明は省略し、ＤＶＤビデオゾーン７２に関する部分の説明を行なう。
【００５７】
ボリューム／ファイル構造領域７０の記述に基づいて、ビデオマネージャ７２１の内容が、後述するＤＶＤプレーヤ（図２９）内部のシステムメモリに格納される。
【００５８】
ＤＶＤビデオゾーン７２は、ビデオマネージャ（ＶＭＧ）７２１および１以上のビデオタイトルセット（ＶＴＳ＃ｎ）７２２から構成される（ビデオタイトルセットの数ｎは最大９９）。
【００５９】
ＶＭＧ７２１は、ビデオマネージャ情報（ＶＭＧＩ）ファイル７２１０と、ビデオマネージャメニュー用ビデオオブジェクトセット（ＶＭＧＭ＿ＶＯＢＳ）ファイル７２１１とビデオマネージャ情報バックアップ（ＶＭＧＩ＿ＢＵＰ）ファイル７２１２とで構成される。なお、ＶＭＧＭ＿ＶＯＢＳ７２１１はオプションのファイルであり、無い場合もある。
【００６０】
各ＶＴＳ７２２は、ビデオタイトルセット情報（ＶＴＳＩ）ファイル７２２０と、ビデオタイトルセットメニュー用ビデオオブジェクトセット（ＶＴＳＭ＿ＶＯＢＳ）ファイル７２２１と、ビデオタイトルセットタイトルのビデオオブジェクトセット（ＶＴＳＴＴ＿ＶＯＢＳ）ファイル７２２２と、ビデオタイトルセット情報バックアップ（ＶＴＳＩ＿ＢＵＰ）ファイル７２２３とで構成される。なお、ＶＴＳＭ＿ＶＯＢＳ７２２１はオプションのファイルであり、無い場合もある。
【００６１】
各ビデオタイトルセットＶＴＳ７２には、ＭＰＥＧ規格により圧縮されたビデオデータ（後述するビデオパック）、所定規格により圧縮されあるいは非圧縮のオーディオデータ（後述するオーディオパック）、およびランレングス圧縮された副映像データ（後述する副映像パック；１画素が複数ビットで定義されたビットマップデータを含む）とともに、これらのデータを再生するための情報（後述するナビゲーションパック；プレゼンテーション制御情報およびデータサーチ情報を含む）が格納されている。
【００６２】
図８を参照して後述するが、ＶＴＳＴＴ＿ＶＯＢＳ７２２２は、１以上のビデオオブジェクトＶＯＢの集まりを定義している。各ＶＯＢは１以上のビデオタイトルセット・セル（ＶＴＳ＿Ｃ＃）の集まりを定義している。そして、１以上のセルの集まりによってビデオタイトルセットのプログラムが構成され、１以上のプログラムの集まりによってビデオタイトルセットのプログラムチェーンＰＧＣが構成される。
【００６３】
１つのＰＧＣを１本のドラマに例えれば、このＰＧＣを構成する複数のセルはそのドラマ中の種々なシーンに対応すると解釈可能である。このＰＧＣの中身（あるいはセルの中身）は、ディスク１０に記録される内容を制作するソフトウエアプロバイダにより決定される。すなわち、図３で説明したＡＴＳ＿ＰＧＣＩの場合と同様に、プロバイダは、ＶＴＳ内のプログラムチェーン情報ＶＴＳ＿ＰＧＣＩに書き込まれたセル再生情報（図示せず）を用いて、ＶＴＳＴＴ＿ＶＯＢＳ７２２２を構成するセルを意図通りに再生させることができる。
【００６４】
図５は、図３のＤＶＤオーディオゾーンのプログラムチェーン情報ＡＴＳ＿ＰＧＣＩおよび図４のＤＶＤビデオゾーンのプログラムチェーン情報ＶＴＳ＿ＰＧＣＩの双方から、特定のビデオ情報（ＶＴＳ＿Ｃ＃２、ＶＴＳ＿Ｃ＃３、ＶＴＳ＿Ｃ＃５）が、共通に（しかし異なる方法で）アクセスされる場合を説明する図である。換言すれば、図５は、同一のビデオオブジェクトＶＯＢがオーディオ側の再生ユニットおよびビデオ側の再生ユニットから異なる方法で参照される場合を例示している。
【００６５】
すなわち、ビデオタイトルセット側からビデオ再生を行なう場合、ＶＴＳ＿ＰＧＣＩ内のセル再生情報（図示せず）により、ＶＯＢのセルＶＴＳ＿Ｃ＃１〜ＶＴＳ＿Ｃ＃６が順に再生される。
【００６６】
一方、オーディオタイトルセット側からビデオ再生（あるいはスチル再生）を行なう場合、ＡＴＳ＿ＰＧＣＩ内のセル再生情報（図２８）により、ＶＯＢのセルＶＴＳ＿Ｃ＃２、ＶＴＳ＿Ｃ＃３およびＶＴＳ＿Ｃ＃５が選択的に再生される。
【００６７】
この場合、同じディスク１０内でＡＴＳおよびＶＴＳが同じセルデータ（ＶＴＳ＿Ｃ＃２、ＶＴＳ＿Ｃ＃３、ＶＴＳ＿Ｃ＃５）を別々に持つ必要がないので、ディスク１０の限られた容量を有効利用できるようになる。
【００６８】
図６は、図３のＤＶＤオーディオゾーンの記録内容（ＡＯＴＴ＿ＡＯＢＳ）のデータ構造の一例を示す。
【００６９】
図３を参照して説明したＡＯＴＴ＿ＡＯＢＳ７１２１は、図６に示すように、１以上のオーディオオブジェクトＡＯＴＴ＿ＡＯＢ＃の集まりを定義している。各ＡＯＴＴ＿ＡＯＢは１以上のオーディオセルＡＴＳ＿Ｃ＃の集まりを定義している。そして、１以上のセルＡＴＳ＿Ｃ＃の集まりによってプログラムが構成され、１以上のプログラムの集まりによってプログラムチェーンＰＧＣが構成される。このＰＧＣは、オーディオタイトルの全体あるいは一部を差し示す論理的なユニットを構成する。
【００７０】
図６の例では、各オーディオセルＡＴＳ＿Ｃ＃が２０４８バイトサイズのオーディオパックＡ＿ＰＣＫの集合で構成されている。これらのパックは、データ転送処理を行う際の最小単位となる。また、論理上の処理を行う最小単位はセル単位であり、論理上の処理はこのセル単位で行なわれる。
【００７１】
図７は、図３のＤＶＤオーディオゾーンの記録内容（ＡＯＴＴ＿ＡＯＢＳ）のデータ構造の他例を示す。図７の例は、セルおよびパックの構成が、図６の場合と異なっている。
【００７２】
すなわち、図７のオーディオオブジェクトＡＯＴＴ＿ＡＯＢ＃１は、ピクチャセルＡＴＳ＿Ｃ＃１、サイレントセルＡＴＳ＿Ｃ＃２、オーディオセルＡＴＳ＿Ｃ＃３等を含んでいる。次のＡＯＴＴ＿ＡＯＢ＃２は、図示しないが、オーディオセルＡＴＳ＿Ｃだけで構成されてもよい。メインとなるのはオーディオセルであるが、それに適宜ピクチャセルおよび／またはサイレントセルが追加されるようになっている。
【００７３】
ピクチャセルＡＴＳ＿Ｃ＃１は１以上のスチル画パックＳＰＣＴ＿ＰＣＫにより構成され、サイレントセルＡＴＳ＿Ｃ＃２は１以上の無音オーディオパックＡ＿ＰＣＫにより構成される。このサイレントセルの再生時間は、約０．５秒以上に設定される。オーディオセルＡＴＳ＿Ｃ＃３は、リアルタイム情報を持つリアルタイム情報パックＲＴＬ＿ＰＣＫを適宜含んで、オーディオパックＡ＿ＰＣＫにより構成される。
【００７４】
ＤＶＤオーディオプレーヤの再生動作中に上記スチル画パックＳＰＣＴ＿ＰＣＫのデータ転送が行われると、その転送期間中、短時間（約０．５秒〜０．６秒）の音切れが生じる。この音切れをオーディオギャップという。オーディオギャップが音楽再生の途中で生じるとまずいので、上記スチル画パックＳＰＣＴ＿ＰＣＫのデータ転送は、通常は、図９のアルバム再生の開始前、特定グループ再生の開始前、あるいは特定トラックの開始前に行われる。
【００７５】
なお、ＤＶＤオーディオプレーヤ内部でスチル画パックＳＰＣＴ＿ＰＣＫの転送を一旦し終えてしまえば、このＳＰＣＴ＿ＰＣＫの内容に相当するスチル画はプレーヤ内の画像メモリに保持される。このメモリ内のスチル画は、オーディオパックＡ＿ＰＣＫの内容（音楽等）の再生中、連続的に再生できる（ただしユーザが希望すればいつでもスチル画をモニタから消去することは可能）。
【００７６】
図８は、図４のＤＶＤビデオゾーンの記録内容（ＶＴＳＴＴ＿ＶＯＢＳ）のデータ構造の一例示す。
【００７７】
図４を参照して説明したＶＴＳＴＴ＿ＶＯＢＳ７２２２は、図８に示すように、１以上のビデオオブジェクトＶＯＢ＃の集まりを定義している。各ＶＯＢは１以上のビデオセルＶＴＳ＿Ｃ＃の集まりを定義している。各ＶＴＳ＿Ｃは１以上のビデオオブジェクトユニットＶＯＢＵの集まりを定義している。そして、１以上のセルＶＴＳ＿Ｃ＃の集まりによってプログラムが構成され、１以上のプログラムの集まりによってプログラムチェーンＰＧＣが構成される。このＰＧＣは、ビデオタイトルあるいはビジュアルメニューの全体あるいは一部を差し示す論理的なユニットを構成する。
【００７８】
図８に示すように、各ＶＯＢＵは、ナビゲーションパックを先頭として、ビデオパック（ＭＰＥＧ圧縮された動画データ）、副映像パック（ランレングス圧縮されたビットマップデータ）、およびオーディオパック（非圧縮リニアＰＣＭオーディオデータまたは圧縮された多チャネルオーディオデータ）の集合体（パック列）として構成されている。すなわち、ビデオオブジェクトユニットＶＯＢＵは、あるナビゲーションパックから次のナビゲーションパックの直前まで記録される全パックの集まりとして定義される。このナビゲーションパックは、アングル変更（シームレスアングル変更再生またはノンシームレスアングル変更再生）を実現できるように、各ＶＯＢＵ中に組み込まれている。
【００７９】
これらのパックは、図６または図７の場合と同様に、データ転送処理を行う際の最小単位となる。また、論理上の処理を行う最小単位はセル単位であり、論理上の処理はこのセル単位で行わる。
【００８０】
上記ＶＯＢＵの再生時間は、そのＶＯＢＵ中に含まれる１以上の映像グループ（グループオブピクチャー；略してＧＯＰ）で構成されるビデオデータの再生時間に相当し、その再生時間は０．４秒〜１．２秒の範囲内に定められる。１ＧＯＰは、ＭＰＥＧ規格では通常約０．５秒であって、その間に１５枚程度の画像を再生するように圧縮された画面データである。
【００８１】
ＶＯＢＵがビデオデータを含む場合には、ビデオパック、副映像パックおよびオーディオパックから構成されるＧＯＰ（ＭＰＥＧ規格準拠）が配列されてビデオデータストリームが構成される。しかし、このＧＯＰの数とは無関係に、ＧＯＰの再生時間を基準にしてＶＯＢＵが定められ、その先頭に、常にナビゲーションパックが配置される。
【００８２】
なお、ＤＶＤビデオの再生にあたっては、オーディオおよび／または副映像データのみの再生データであってもＶＯＢＵを１単位として再生データが構成される。たとえば、ナビゲーションパックを先頭としてオーディオパックのみでＶＯＢＵが構成されている場合を想定してみる。この場合、ビデオデータのＶＯＢのと同様に、そのオーディオデータが属するＶＯＢＵの再生時間内（０．４秒〜１．２秒）に再生されるべきオーディオパックが、そのＶＯＢＵに格納される。
【００８３】
図８に示すように、ＶＴＳＴＴ＿ＶＯＢＳは１以上のＶＯＢの集合として定義され、このＶＯＢＳ中のＶＯＢは同一用途に用いられる。
【００８４】
メニュー用のＶＯＢＳは、通常、１つのＶＯＢで構成され、そこには複数のメニュー画面表示用データが格納される。これに対して、ビデオタイトルセット用のＶＯＢＳは、通常、複数のＶＯＢで構成される。
【００８５】
ここで、タイトルセット用ビデオオブジェクトセットＶＴＳＴＴ＿ＶＯＢＳを構成するＶＯＢは、あるロックバンドのコンサートビデオを例にとれば、そのバンドの演奏の映像データに相当すると考えることができる。この場合、あるＶＯＢを指定することによって、そのバンドのコンサート演奏曲目のたとえば３曲目を再生することができる。
【００８６】
また、メニュー用ビデオオブジェクトセットＶＴＳＭ＿ＶＯＢＳを構成するＶＯＢには、そのバンドのコンサート演奏曲目全曲のメニューデータが格納され、そのメニューの表示にしたがって、特定の曲、たとえばアンコール演奏曲目を再生することができる。
【００８７】
なお、通常のビデオプログラムでは、１つのＶＯＢで１つのＶＯＢＳを構成することができる。この場合、１本のビデオストリームが１つのＶＯＢで完結することとなる。
【００８８】
一方、たとえば複数ストーリのアニメーション集あるいはオムニバス形式の映画では、１つのＶＯＢＳ中に各ストーリに対応して複数のビデオストリーム（複数のプログラムチェーンＰＧＣ）を設けることができる。この場合は、各ビデオストリームが対応するＶＯＢに格納されることになる。その際、各ビデオストリームに関連したオーディオストリームおよび副映像ストリームも各ＶＯＢ中で完結する。
【００８９】
ビデオオブジェクトＶＯＢには識別番号（＃ｉ；ｉ＝０〜ｉ）が付されており、この識別番号によってそのＶＯＢを特定することができる。ＶＯＢは、１または複数のセルで構成されている。通常のビデオストリームは複数のセルで構成されるが、メニュー用のビデオストリームは１つのセルで構成される場合もある。各セルには、ＶＯＢの場合と同様に識別番号（＃ｊ；ｊ＝０〜ｊ）が付されている。
【００９０】
図９は、ユーザアクセス可能なＤＶＤオーディオゾーン７１の記録内容であって、図１の光ディスクの片面（１層または２層）に記録されるデータ構造の一例を示す。
【００９１】
ＤＶＤオーディオでは、ソフトウエア制作サイドからみた記録内容の管理構造として、アルバム、グループ、トラック、およびインデックスからなる階層構造を用意している。
【００９２】
アルバムはＤＶＤオーディオディスク１０の片面分に相当し、たとえば「ベートーベンの作品集の第１巻」をこのアルバムに割り当てることができる。その場合、このアルバムは、たとえば交響曲第１番のグループ＃１〜交響曲第９番のグループ＃９などで構成できる。
【００９３】
各グループ（たとえばグループ＃１）は、対応交響曲（交響曲第１番）の第１楽章〜第４楽章それぞれに対応したトラック＃１〜＃４で構成で構成される。さらに、各トラックは、その内容を適宜ｉ分割したインデックス＃１〜＃ｉで構成で構成される。
【００９４】
図９のような階層構造で制作されたＤＶＤオーディオディスク１０をユーザが再生する場合、ユーザは、そのディスク１０をＤＶＤオーディオプレーヤ（図２９〜図３０）にセットしてから、図示しないリモートコントローラを操作して、グループ＃１、およびトラック＃１を選択できる。
【００９５】
この選択をしてからユーザがリモートコントローラの再生ボタンを押すと、ＤＶＤオーディオプレーヤは、ベートーベンの交響曲第１番の第１楽章の頭から再生を開始する。ユーザがさらに特定のインデックスをリモートコントローラから指示すると、指示されたインデックス部分がサーチされ、その部分から再生される。（そのアルバムの最初のグループの最初のトラックの最初のインデックス部分については、ユーザがなにも指定しなくてもデフォルトで再生できる。）
なお、ＤＶＤビデオディスクの再生の場合はユーザはタイトル（特定の映画作品タイトルなど）を認識できるが、ＤＶＤオーディオディスクの場合はユーザには「タイトル」が見えない。ユーザに見えるのは、図９の「アルバム」と、「グループ」と、「トラック」と、「インデックス」だけである。
【００９６】
図１０は、図１の光ディスクに記録される情報（ＤＶＤオーディオおよびＤＶＤビデオのデータファイル）のディレクトリ構造を示す。この図は、ＤＶＤファイル規格で定義されるファイル・ディレクトリ構造の例である。
【００９７】
コンピュータの汎用オペレーティングシステムが採用している階層ファイル構造と同様に、ルートディレクトリの下にビデオタイトルセットＶＴＳのサブディレクトリ、オーディオタイトルセットＡＴＳのサブディレクトリ、ユーザ定義のディレクトリ等が繋がっている。
【００９８】
ビデオタイトルセットＶＴＳのサブディレクトリ中には、種々なビデオファイル（ＶＭＧＩ、ＶＭＧＭ、ＶＴＳＩ、ＶＴＳＭ、ＶＴＳ等のファイル；図４参照）が配置されて、各ファイルが整然と管理されるようになっている。
【００９９】
また、オーディオタイトルセットＡＴＳのサブディレクトリ中には、種々なオーディオファイル（ＡＭＧＩ、ＡＴＳＩ、ＡＴＳ等のファイル；図３参照）が配置されて、各ファイルが整然と管理されるようになっている。
【０１００】
ユーザは、特定のファイル（特定のＶＴＳまたは特定のＡＴＳ）に、ルートディレクトリからそのファイルまでのパスを指定することで、アクセスできる。
【０１０１】
ＤＶＤビデオ規格に準拠して作られたＤＶＤビデオプレーヤは、ＤＶＤビデオ規格に準拠して作られたＤＶＤビデオディスクを再生する場合、まずルートディレクトリの下のビデオタイトルセットＶＴＳディレクトリ内にある管理情報（ＶＭＧ）を読み込み、その情報によりビデオコンテンツを再生する。しかし、ＶＭＧによって再生できるのはＶＴＳディレクトリ内に記録されたビデオコンテンツ（ＶＴＳ）に限られる。
【０１０２】
一方、ＤＶＤオーディオ規格に準拠して作られたＤＶＤオーディオプレーヤ（またはＤＶＤビデオ・ＤＶＤオーディオコンパチブルプレーヤ）は、ＤＶＤオーディオ規格に準拠して作られたＤＶＤオーディオディスクを再生する場合、まずルートディレクトリの下のオーディオタイトルセットＡＴＳディレクトリ内にある管理情報（ＡＭＧ）を読み込み、その情報によりオーディオコンテンツを再生する。この場合、ＡＭＧによって再生できるのは、ＡＴＳディレクトリ内に記録されたオーディオコンテンツ（ＡＴＳ）に限られず、ＶＴＳディレクトリ内のビデオコンテンツ（ＶＴＳ）も再生可能となっている（その仕組みは図１２以降を参照して後述する）。
【０１０３】
図１１は、図１の光ディスクに記録される情報（ＤＶＤオーディオおよびＤＶＤビデオのデータファイル）のディレクトリ構造の他例を示す。
【０１０４】
図１０の例ではＶＴＳディレクトリもＡＴＳディレクトリもルートディレクトリの下の同じ階層レベルに配置されている。一方、図１１の例では、ルートディレクトリ（親ディレクトリ）の下の階層にＡＴＳディレクトリ（子ディレクトリ）を配置し、ＡＴＳディレクトリの下の階層にＶＴＳディレクトリ（孫ディレクトリ）を配置している。
【０１０５】
図１２は、図１０のディレクトリ構造において、オーディオコンテンツ側のディレクトリからビデオコンテンツ側のディレクトリ内のファイルにアクセスする場合を説明する図である。
【０１０６】
すなわち、ＡＶディスク１０に記録されたデータファイルを管理する階層管理構造において、ルートディレクトリ（親ディレクトリ）の下にビデオタイトルセットディレクトリ（子ディレクトリ）およびオーディオタイトルセットディレクトリ（子ディレクトリ）が配置されている。
【０１０７】
ビデオタイトルセットディレクトリ（ＶＴＳディレクトリ）は、ディスク１０に記録されたビデオコンテンツのファイルを扱うディレクトリであり、ビデオマネージャＶＭＧのファイルおよび１以上のビデオタイトルセットＶＴＳのファイル（ビデオコンテンツの論理ユニット）を含んでいる（図４参照）。
【０１０８】
オーディオタイトルセットディレクトリ（ＡＴＳディレクトリ）は、ディスク１０に記録されたオーディオコンテンツのファイルを扱うディレクトリであり、オーディオマネージャＡＭＧのファイルおよび１以上のオーディオタイトルセットＡＴＳのファイル（オーディオコンテンツの論理ユニット）を含んでいる（図３参照）。
【０１０９】
ＶＴＳディレクトリのＶＭＧは、ＶＴＳのみを管理するもので、ＶＴＳディレクトリ内のＶＴＳにしかアクセスできないようになっている。
【０１１０】
一方、ＡＴＳディレクトリのＡＭＧは、主にＡＴＳを管理するものであるが、ＡＴＳディレクトリ内のＡＴＳのみならず、ＶＴＳディレクトリ内のＶＴＳにもアクセスできるようになっている。
【０１１１】
その具体的内容は図１７〜図２０を参照して後述するが、ＡＧＭはオーディオマネージャ情報ＡＭＧＩを含み（図１７）、ＡＭＧＩはオーディオタイトルのサーチポインタテーブルＡＴＴ＿ＳＲＰＴを含み（図１７）、ＡＴＴ＿ＳＲＰＴはオーディオ・オンリータイトル（ＡＯＴＴ）用のサーチポインタＡＴＴ＿ＳＲＰおよびオーディオ・ビデオ（ＡＶＴＴ）用のサーチポインタＡＴＴ＿ＳＲＰを含んでいる（図２０）。
【０１１２】
つまり、ＡＴＳディレクトリのＡＭＧは、ＡＯＴＴ用サーチポインタＡＴＴ＿ＳＲＰＴによりＡＴＳディレクトリ内のオーディオタイトルセットＡＴＳ＃１、ＡＴＳ＃２、…にアクセスでき、かつ、ＡＶＴＴ用サーチポインタＡＴＴ＿ＳＲＰＴによりＶＴＳディレクトリ内のビデオタイトルセットＶＴＳ＃１、ＶＴＳ＃２、…にアクセス可能となる。これにより、あるオブジェクト（ＶＴＳ＃１など）をビデオコンテンツとオーディオコンテンツの双方で共用できるようになる。これが、この発明の「オブジェクト共有化システム」の重要な特徴の１つである。
【０１１３】
図１３は、図１０のディレクトリ構造において、オーディオコンテンツ側のディレクトリ内のファイルがビデオコンテンツ側のディレクトリ内のファイルにリンクする場合を説明する図である。図１３は、図１２の変形例と捕らえることもできる。
【０１１４】
すなわち、図１２の例では、オーディオマネージャＡＭＧがオーディオタイトルセットＡＴＳおよびビデオタイトルセットＶＴＳの双方にアクセスできるような構成を取ることにより、あるＶＴＳがビデオコンテンツとオーディオコンテンツとで共用されている。
【０１１５】
一方、図１３の例では、あるオーディオタイトルセット（ここではＡＴＳ＃１）に、あるビデオタイトルセット（ここではＶＴＳ＃１）へリンクするための情報（ＶＴＳ＃１の所定部分のアドレスを指し示すポインタなど）を書き込んでいる。こうすることにより、たとえばＶＴＳ＃１内のオーディオデータがビデオコンテンツとオーディオコンテンツとで共用できるようになる。
【０１１６】
図１４は、図１２のファイルアクセスが図３および図４のボリュームスペース内においてどのように行われるかの一例を説明するデータ構造図である。図１４のデータ構造は、図１２のディレクトリ構造に対応している。
【０１１７】
図１４において、斜線で図示される部分は、ビデオコンテンツ（またはビデオボリューム）とオーディオコンテンツ（またはオーディオボリューム）とで共用されるコンテンツを例示している。
【０１１８】
図１４のデータ構造の考え方の基本は、ビデオコンテンツのための記録領域（ＶＭＧ＋ＶＴＳ）とオーディオコンテンツのための記録領域（ＡＭＧ＋ＡＴＳ）とをそれぞれ独立にボリュームスペース２８に記録し、ビデオ用のみならずオーディオ用としても共通に利用されるビデオコンテンツに関しては、ＡＭＧからも管理可能とすることである。
【０１１９】
具体例を言えば、図１４において、ＶＭＧで管理されるビデオタイトルセットＶＴＳ＃１がビデオオブジェクトセットＶＯＢＳ＃１の一部（セル）にアクセスできる一方で、ＡＭＧで管理されるオーディオタイトルセットＡＴＳ＃１がＶＯＢＳ＃１の他部（セル）にアクセスできるようになっている。この例では、ＶＴＳ＃１のビデオオブジェクトセットＶＯＢＳ＃１を構成するセルの一部（図８参照）が、ビデオコンテンツとオーディオコンテンツとで共用されることになる。
【０１２０】
図１４のデータ構造では、ＤＶＤオーディオゾーン７１がアドレスの小さい方（図３のリードインエリア２７に近い方）に配置され、ＤＶＤビデオゾーン７２がアドレスの大きい方（図３のリードアウトエリア２６に近い方）に配置される。この場合、ＡＭＧは、ＡＴＳにアクセスするときもＶＴＳにアクセスするときも、常に＋方向に変化するアドレスを用いれば良く、ー方向のアドレスを扱う必要がないので、再生システムの構築が容易になる。
【０１２１】
図１５は、図１２のファイルアクセスが図３および図４のボリュームスペース内においてどのように行われるかの他例を説明するデータ構造図である。図１５は図１４の変形例と捕らえることができる。
【０１２２】
図１４では、ＤＶＤオーディオゾーン７１がアドレスの小さい方に配置され、ＤＶＤビデオゾーン７２がアドレスの大きい方に配置されているので、前述したように、ー方向のアドレスを扱う必要がなかった。
【０１２３】
一方、図１４では、ＤＶＤビデオゾーン７２がアドレスの小さい方（図３のリードインエリア２７に近い方）に配置され、ＤＶＤオーディオゾーン７１はアドレスの大きい方（図３のリードアウトエリア２６に近い方）に配置されている。この場合、ＡＭＧは、ＡＴＳにアクセスするときは＋方向のアドレスを扱い、ＶＴＳにアクセスするときはー方向のアドレスを扱うことになる。この場合、所望のオブジェクト（ＡＴＳあるいはＶＴＳ中のセル）にアクセスする際のアドレッシングが面倒であり、製品コストが問題になる民生用ＤＶＤオーディオプレーヤに採用するのは難しくなる。
【０１２４】
しかし、ＤＶＤドライブを持つパーソナルコンピュータをソフトウエアでＤＶＤオーディオプレーヤ化する場合は、図１５のデータ構造が採用されても、コスト上の問題は回避できる。つまり、図１５のデータ構造を一旦解析したパーソナルコンピュータのオペレーティングシステム（または制御ソフトウエア）は、自分のメモリ上でアドレスをリマッピングし、物理的には図１５の配置であったデータ構造を見かけ上図１４の配置に変換してしまうことができる。そうすれば、そのパーソナルコンピュータのＭＰＵまたはＣＰＵは、図１４の場合と同様に、＋方向だけのアドレス指定でもって、ＡＭＧから、ＡＴＳにもＶＴＳにもアクセスできるようになる。
【０１２５】
図１６は、図１２のファイルアクセスが図３および図４のボリュームスペース内においてどのように行われるかのさらに他の例を説明するデータ構造図である。図１５も、図１４の変形例と捕らえることができる。
【０１２６】
図１４では、ＤＶＤオーディオゾーン７１がアドレスの小さい方に配置され、ＤＶＤビデオゾーン７２がアドレスの大きい方に配置されているので、前述したように、ー方向のアドレスを扱う必要がなかった。
【０１２７】
これに対し、図１６のデータ構造では、ＤＶＤオーディオゾーン７１のＡＭＧがアドレスの小さい方（図３のリードインエリア２７に近い方）に配置され、ＤＶＤビデオゾーン７２のＶＭＧがＡＭＧよりはアドレスの大きい方（図３のリードアウトエリア２６に近い方）に配置されている。この場合、ＡＭＧは、ＡＴＳにアクセスするときもＶＴＳにアクセスするときも、常に＋方向に変化するアドレスを用いれば良く、ー方向のアドレスを扱う必要がない。このため、図１４の場合と同様に、再生システムの構築が容易になる。
【０１２８】
ただし、図１６のデータ構造ではＡＴＳ＃１内にＶＴＳ＃１等が配置される「入れ子」構造となるため、図４のＶＭＧは、ＡＴＳ内のＶＴＳがＤＶＤビデオゾーン７２に存在しているとは認識できない。この場合、ＶＭＧは、ＡＴＳ内のＶＴＳが他記録エリア７３に存在しているものとして取り扱うことができる。
【０１２９】
図１６のデータ構造は、ＡＭＧがＡＴＳのみならずＶＴＳもアクセスできるようにする場合において、他記録エリア７３を使用する場合に、利用できる。
【０１３０】
以上、「ＡＭＧがＡＴＳおよびＶＴＳにアクセスできる」データ構造の例として図１４〜図１６の３種を挙げたが、一番好ましいのは、図１４のデータ構造である。その理由は、アドレスのリマッピングをしなくても所望の共用オブジェクトに＋方向のアドレス指定だけでアクセスできるからである。
【０１３１】
図１７は、図３のＤＶＤオーディオゾーン内のオーディオマネージャ情報ＡＭＧＩの記録内容を説明する図である。
【０１３２】
ＤＶＤオーディオゾーン７１で扱うコンテンツには、オーディオ・オンリータイトルＡＯＴＴと、ビデオ付オーディオタイトル（またはオーディオ・ビデオタイトル）ＡＶＴＴの２種がある。
【０１３３】
ＡＯＴＴは、オーディオディスク（Ａディスク）１０内のタイトルであってビデオ部を持たず、オーディオタイトルセットディレクトリ下に記録されたＡＴＳ内で定義される。一方、ＡＶＴＴは、オーディオディスク（ＡＶディスク）１０内のタイトルであってビデオ部を持ち、ビデオタイトルセットディレクトリ下に記録されたＶＴＳ内で定義される。そして、ＡＯＴＴとＡＶＴＴの総称をＡＴＴ（オーディオタイトル）と定義する。
【０１３４】
上記ＡＴＴのデータが記録されるＤＶＤオーディオゾーン７１は、ＡＭＧ７１１および１以上（最大９９）のオーディオタイトルセット（ＡＴＳ＃１〜ＡＴＳ＃ｍ）７１２で構成されている。
【０１３５】
ＡＭＧ７１１は、オーディオマネージャ情報ＡＭＧＩファイル７１１０と、オーディオマネージャメニュー用ビデオオブジェクトセットＡＭＧＭ＿ＶＯＢＳファイル（オプションファイル）７１１１とオーディオマネージャ情報バックアップＡＭＧＩ＿ＢＵＰファイル７１１２とで構成されている。
【０１３６】
ＡＭＧＩファイル７１１０は、オーディオマネージャ情報管理テーブルＡＭＧＩ＿ＭＡＴと、オーディオタイトルのサーチポインタテーブルＡＴＴ＿ＳＲＰＴと、オーディオ・オンリータイトルのサーチポインタテーブルＡＯＴＴ＿ＳＲＰＴと、オーディオマネージャメニューのプログラムチェーン情報ユニットテーブルＡＭＧＭ＿ＰＧＣＩ＿ＵＴと、オーディオテキストデータマネージャＡＴＸＴＤＴ＿ＭＧを含んでいる。
【０１３７】
すなわち、ＡＭＧは、2つのサーチ情報ＡＴＴ＿ＳＲＰＴおよびＡＯＴＴ＿ＳＲＰＴを持っている。ここで、ＡＴＴ＿ＳＲＰＴはＡＯＴＴおよびＡＶＴＴ両方のサーチ情報を記述したテーブルであり、ＡＯＴＴ＿ＳＲＰＴはＡＯＴＴのみのサーチ情報を記述したテーブルである。
【０１３８】
このように、サーチ情報をＡＶＴＴ用とＡＯＴＴ用の2種に分けるのではなく、ＡＴＴ（ＡＯＴＴとＡＶＴＴの総称）用（後述する図２０のＡＴＴ＿ＳＲＰＴ）とＡＯＴＴ用（後述する図２２のＡＯＴＴ＿ＳＲＰＴ）の2種に分けるようにしたのは、種々なＤＶＤプレーヤに対して再生方法を簡単にするためである。
【０１３９】
図１８は、図１７のオーディオマネージャ情報ＡＭＧＩに含まれるオーディオマネージャ情報管理テーブルＡＭＧＩ＿ＭＡＴの記録内容を示す。
【０１４０】
すなわち、このオーディオマネージャ情報管理テーブルＡＭＧＩ＿ＭＡＴには、オーディオマネージャー識別子（ＡＭＧ＿ＩＤ）；オーディオマネージャのエンドアドレス（ＡＭＧ＿ＥＡ）；オーディオマネージャ情報のエンドアドレス（ＡＭＧＩ＿ＥＡ）；該当光ディスク（ＤＶＤオーディオディスク）１０が採用する規格のバージョン番号（ＶＥＲＮ）；ボリューム設定識別子（ＶＬＭＳ＿ＩＤ）；タイトルセット数（ＴＳ＿Ｎｓ）；プロバイダ（ソフトウエアの制作・販売元）の識別子（ＰＶＲ＿ＩＤ）；オーディオマネージャ情報管理テーブルのエンドアドレス（ＡＭＧＩ＿ＭＡＴ＿ＥＡ）；オーディオマネージャメニューのビデオオブジェクトセットのスタートアドレス（ＡＭＧＭ＿ＶＯＢＳ＿ＳＡ）；オーディオタイトルのサーチポインタテーブルのスタートアドレス（ＡＴＴ＿ＳＲＰＴ＿ＳＡ）；オーディオ・オンリータイトルのサーチポインタテーブルのスタートアドレス（ＡＯＴＴ＿ＳＲＰＴ＿ＳＡ）；オーディオマネージャメニュー用プログラムチェーン情報のユニットテーブルのスタートアドレス（ＡＭＧＭ＿ＰＧＣＩ＿ＵＴ＿ＳＡ）；オーディオテキストデータマネージャのスタートアドレス（ＡＴＸＴＤＴ＿ＭＧ＿ＳＡ）；オーディオマネージャメニューのビデオオブジェクトセットに対するビデオ属性（ＡＭＧＭ＿Ｖ＿ＡＴＲ）；オーディオマネージャメニューに対する副映像ストリーム数（ＡＭＧＭ＿ＳＰＳＴ＿Ｎｓ）；オーディオマネージャメニューのビデオオブジェクトセットに対する副映像の属性（ＡＭＧＭ＿ＳＰＳＴ＿ＡＴＲ）；ディオマネージャメニューのオーディオストリーム数（ＡＭＧＭ＿ＡＳＴ＿Ｎｓ）；ディオマネージャメニューのビデオオブジェクトセットに対するオーディオ属性（ＡＭＧＭ＿ＡＳＴ＿ＡＴＲ）；その他の予約エリアが設けられている。
【０１４１】
上記オーディオマネージャメニューのビデオオブジェクトセットのスタートアドレスＡＭＧＭ＿ＶＯＢＳ＿ＳＡには、ＡＭＧの最初の論理ブロックからの相対ブロック数でもって、ＡＭＧＭ＿ＶＯＢＳのスタートアドレスが書き込まれる。ＡＭＧＭ＿ＶＯＢＳがないときは「００００００００ｈ」がこのＡＭＧＭ＿ＶＯＢＳ＿ＳＡに書き込まれる。
【０１４２】
上記スタートアドレスＡＴＴ＿ＳＲＰＴ＿ＳＡには、ＡＭＧＩの最初の論理ブロックからの相対ブロック数でもって、ＡＴＴ＿ＳＲＰＴのスタートアドレスが書き込まれる。
【０１４３】
上記スタートアドレスＡＯＴＴ＿ＳＲＰＴ＿ＳＡには、ＡＭＧＩの最初の論理ブロックからの相対ブロック数でもって、ＡＯＴＴ＿ＳＲＰＴのスタートアドレスが書き込まれる。
【０１４４】
図１８のＡＭＧＩ＿ＭＡＴに書き込まれたＡＴＴ＿ＳＲＰＴ＿ＳＡあるいはＡＯＴＴ＿ＳＲＰＴ＿ＳＡから、オーディオタイトルのサーチポインタＡＴＴ＿ＳＲＰＴあるいはオーディオ・オンリータイトルのサーチポインタＡＯＴＴ＿ＳＲＰＴがディスク１０の何処に記録されているかが分かるようになる。
【０１４５】
図１９は、図１７のオーディオマネージャ情報ＡＭＧＩに含まれるオーディオタイトルのサーチポインタテーブルＡＴＴ＿ＳＲＰＴの内容を説明する図である。ＡＭＧＩは、２種のサーチポインタＡＴＴ＿ＳＲＰＴおよびＡＯＴＴ＿ＳＲＰＴを持っているが、図１９はＡＯＴＴにもＡＶＴＴにもアクセスできるサーチポインタＡＴＴ＿ＳＲＰを示している。
【０１４６】
すなわち、ＡＭＧＩに含まれるＡＴＴ＿ＳＲＰＴは、オーディオタイトルのサーチポインタテーブル情報ＡＴＴ＿ＳＲＰＴＩと１以上のオーディオタイトルサーチポインタＡＴＴ＿ＳＲＰ（ＡＴＴ＿ＳＲＰ＃１〜ＡＴＴ＿ＳＲＰ＃ｎ）を含む。ＡＴＴ＿ＳＲＰＴＩはオーディオタイトルサーチポインタの数とＡＴＴ＿ＳＲＰＴのエンドアドレスを含んでいる。
【０１４７】
図２０は、図１９のオーディオタイトルのサーチポインタテーブルＡＴＴ＿ＳＲＰＴに含まれる各オーディオタイトルサーチポインタ（ここではＡＴＴ＿ＳＲＰ＃ｎ）の内容を説明する図である。
【０１４８】
ＤＶＤオーディオの規格は音だけでなく画像も扱えるようになっており、ＡＭＧは2つのサーチ情報ＡＴＴ＿ＳＲＰＴおよびＡＯＴＴ＿ＳＲＰＴを持っている。図２０のＡＴＴ＿ＳＲＰＴは、ＡＯＴＴおよびＡＶＴＴ両方のサーチ情報を記述したテーブルである。
【０１４９】
図２０において、オーディオ・オンリータイトル用のサーチポインタＡＯＴＴ・ＡＴＴ＿ＳＲＰは、オーディオタイトルＡＴＴのカテゴリと、オーディオタイトルＡＴＴ内のプログラム数と、オーディオタイトルＡＴＴのトータル再生時間と、オーディオタイトルセットＡＴＳの番号と、オーディオタイトルセットＡＴＳのタイトル番号と、オーディオタイトルセットＡＴＳの開始アドレスとを含んでいる。
【０１５０】
また、ビデオ付オーディオタイトル用のサーチポインタＡＶＴＴ＿ＳＲＰは、オーディオタイトルＡＴＴのカテゴリと、オーディオタイトルＡＴＴのトータル再生時間と、タイトル再生形式と、ビデオに含まれるアングル数と、ビデオに含まれるパートオブタイトル数と、ビデオタイトルセットＶＴＳの番号と、ビデオタイトルセットＶＴＳのタイトル番号と、ビデオタイトルセットＶＴＳの開始アドレスとを含んでいる。
【０１５１】
図２１は、図１７のオーディオマネージャ情報ＡＭＧＩに含まれるオーディオ・オンリータイトルのサーチポインタテーブルＡＯＴＴ＿ＳＲＰＴの内容を説明する図である。ＡＭＧＩは、２種のサーチポインタＡＴＴ＿ＳＲＰＴおよびＡＯＴＴ＿ＳＲＰＴを持っているが、図２１はＡＯＴＴだけにアクセスできるサーチポインタＡＯＴＴ＿ＳＲＰを示している。
【０１５２】
すなわち、ＡＭＧＩに含まれるＡＯＴＴ＿ＳＲＰＴは、オーディオ・オンリータイトルのサーチポインタテーブル情報ＡＯＴＴ＿ＳＲＰＴＩと１以上のオーディオ・オンリータイトルサーチポインタＡＯＴＴ＿ＳＲＰ（ＡＯＴＴ＿ＳＲＰ＃〜ＡＯＴＴ＿ＳＲＰ＃ｍ）を含む。ＡＯＴＴ＿ＳＲＰＴＩはオーディオ・オンリータイトルサーチポインタの数とＡＯＴＴ＿ＳＲＰＴのエンドアドレスを含んでいる。
【０１５３】
図２２は、図２１のオーディオ・オンリータイトルのサーチポインタテーブルＡＯＴＴ＿ＳＲＰＴに含まれるオーディオ・オンリータイトルサーチポインタ（ここではＡＯＴＴ＿ＳＲＰ＃ｍ）の内容を説明する図である。
【０１５４】
ＤＶＤオーディオの規格は音だけでなく画像も扱えるようになっており、ＡＭＧは2つのサーチ情報ＡＴＴ＿ＳＲＰＴおよびＡＯＴＴ＿ＳＲＰＴを持っているが、図２２のＡＯＴＴ＿ＳＲＰＴは、ＡＯＴＴだけのサーチ情報を記述したテーブルである。
【０１５５】
すなわち、図２２において、オーディオ・オンリータイトル用のサーチポインタＡＯＴＴ・ＡＴＴ＿ＳＲＰは、オーディオタイトルＡＴＴのカテゴリと、オーディオ・オンリータイトルＡＯＴＴ内のプログラム数と、オーディオ・オンリータイトルＡＯＴＴのトータル再生時間と、オーディオタイトルセットＡＴＳの番号と、オーディオタイトルセットＡＴＳのタイトル番号と、オーディオタイトルセットＡＴＳの開始アドレスとを含んでいる。
【０１５６】
ところで、オーディオマネージャＡＭＧ内で定義される再生タイトルの制御情報中では、タイトルグループＴＴ＿ＧＲを指定することができる。
【０１５７】
このタイトルグループＴＴ＿ＧＲは、１個以上のオーディオタイトルＡＴＴの集合体であり、ＡＴＴ群の連続再生を保証する単位として定義される。ユーザから見れば、オーディオタイトルＡＴＴは「曲」に相当し、タイトルグループＴＴ＿ＧＲは曲の集合体としての「アルバム」に相当する（図９参照）。レコードあるいはＣＤにおいて、アルバムの先頭または途中の曲から再生を開始すると、そのままアルバムの最後まで連続して再生できるのと同じように、ＴＴ＿ＧＲの先頭または途中のＡＴＴから再生を開始すると、そのままこのＴＴ＿ＧＲの最後まで連続して再生ができるようになっている。
【０１５８】
タイトルグループＴＴ＿ＧＲとしては、次の2種類を定義することができる。
【０１５９】
＜Ａ１＞オーディオタイトルグループ（ＡＴＴ＿ＧＲ）；このＡＴＴ＿ＧＲは、オーディオタイトルサーチポインタテーブルＡＴＴ＿ＳＲＰＴ内に定義されるオーディオタイトルＡＴＴからなるタイトルグループＴＴ＿ＧＲである。
【０１６０】
＜Ａ２＞オーディオ・オンリータイトルグループ（ＡＯＴＴ＿ＧＲ）；このＡＯＴＴ＿ＧＲは、オーディオ・オンリータイトルサーチポインタテーブルＡＯＴＴ＿ＳＲＰＴ内に定義されるオーディオ・オンリータイトルＡＯＴＴからなるタイトルグループＴＴ＿ＧＲである。
【０１６１】
オーディオタイトルグループＡＴＴ＿ＧＲは、オーディオ規格の画像と音声を再生できるプレーヤ（ＡＯＴＴおよびＡＶＴＴの双方を扱うプレーヤ）のためのものであり、オーディオ・オンリータイトルグループＡＯＴＴ＿ＧＲは、オーディオ規格の音声だけを再生できるプレーヤ（ＡＯＴＴだけを扱うプレーヤ）のためのものである。
【０１６２】
また、オーディオタイトルＡＴＴの構成には次の３種類がある。
【０１６３】
＜Ｂ１＞ＡＴＴがＡＯＴＴのみを持つもの
＜Ｂ２＞ＡＴＴがＡＶＴＴのみを持つもの
＜Ｂ３＞ＡＴＴがＡＯＴＴとＡＶＴＴの両方を持つもの（ここでは、ＡＯＴＴとＡＶＴＴは、曲としては同じものだが、画像なしバージョンであるＡＯＴＴと、画像付バージョンであるＡＶＴＴの両方を持つという意味）
上記＜Ｂ１＞の場合は、ＡＯＴＴのためのサーチ情報はＡＴＴ＿ＳＲＰＴおよびＡＯＴＴ＿ＳＲＰＴの両方に記述される（図２０および図２２参照）。
【０１６４】
上記＜Ｂ２＞の場合は、ＡＶＴＴのためのサーチ情報はＡＴＴ＿ＳＲＰＴだけに記述される（図２０参照）。
【０１６５】
上記＜Ｂ３＞の場合は、ＡＯＴＴのためのサーチ情報はＡＯＴＴ＿ＳＲＰＴのみに記述され、ＡＶＴＴのためのサーチ情報はＡＴＴ＿ＳＲＰＴだけに記述される（図２０参照）。
【０１６６】
上記＜Ｂ１＞〜＜Ｂ３＞の関係を例示したものが図２３である。図２３は、図１７のオーディオマネージャ情報ＡＭＧＩ内のオーディオ・オンリータイトルサーチポインタＡＯＴＴ＿ＳＲＰでアクセスされるオーディオ・オンリータイトルのグループＡＯＴＴ＿ＧＲと、このオーディオマネージャ情報ＡＭＧＩ内のオーディオタイトルサーチポインタＡＴＴ＿ＳＲＰでアクセスされるオーディオタイトルのグループＡＴＴ＿ＧＲとの関係を例示している。図２３は、ＡＴＴ＿ＳＲＰＴとＡＯＴＴ＿ＳＲＰＴとの関係を表す例であるともいえる。
【０１６７】
図２３において、オーディオタイトルＡＴＴ＃１および＃９はそれぞれビデオ付オーディオタイトルＡＶＴＴだけで構成され、ＡＴＴ＃２および＃３はそれぞれビデオ付オーディオタイトルＡＶＴＴとオーディオ・オンリータイトルＡＯＴＴで構成され、ＡＴＴ＃４、＃５、＃７、＃８はそれぞれオーディオ・オンリータイトルＡＯＴＴだけで構成されている。
【０１６８】
図２３の例では、９個のオーディオタイトルＡＴＴが用いられ、これらを４つにグループ分け（ＧＲ＃１〜ＧＲ＃４）してオーディオタイトルグループＡＴＴ＿ＧＲを構成し、２つにグループ分け（ＧＲ＃１〜ＧＲ＃２）してオーディオ・オンリータイトルグループＡＯＴＴ＿ＧＲを構成している。
【０１６９】
この例では、オーディオタイトルＡＴＴ＃１および＃９はＡＶＴＴのみで構成されそこにはＡＯＴＴが存在しない。したがって、ＡＴＴ＃１および＃９はオーディオ・オンリータイトルグループＡＯＴＴ＿ＧＲとしては存在しない。
【０１７０】
このため、オーディオタイトルグループＡＴＴ＿ＧＲの個数（この例では４個）とオーディオ・オンリータイトルグループＡＯＴＴ＿ＧＲの個数（この例では２個）は一般的には一致しない。
【０１７１】
ここで必要なことは、オーディオ規格の画像と音声を再生できるプレーヤ（ＡＯＴＴおよびＡＶＴＴの双方を扱うプレーヤ）でＡＴＴ群を再生する場合と、オーディオ規格の音声だけを再生できるプレーヤ（ＡＯＴＴだけを扱うプレーヤ）でＡＴＴ群を再生する場合において、タイトルグループＴＴ＿ＧＲの同一性を保つことである。
【０１７２】
すなわち、対応するＡＴＴ＿ＧＲとＡＯＴＴ＿ＧＲは、ＧＲ番号は異なったとしても、同一のＡＴＴから構成され、なおかつＴＴ＿ＧＲ内でのＡＴＴの順番も同じにする必要がある。そうでないと、ユーザは混乱してしまう。もちろんこの事は、ＡＶＴＴのみであってＡＯＴＴが存在しないようなＡＴＴ（図２３のＡＴＴ＃１および＃９）は除外しての話である。
【０１７３】
上記「必要」を満足するためには、「ＡＯＴＴとして定義されないＡＴＴ」と「ＡＯＴＴとして定義されるＡＴＴ」とが１つのＡＴＴ＿ＧＲ内に混在しないように制限を加えるとよい。これにより、ＡＴＴ＿ＧＲとＡＯＴＴ＿ＧＲの両方が存在する部分においては、ＴＴ＿ＧＲとしての同一性が保たれる。
【０１７４】
図２３の例でいうと、ＡＴＴのＧＲ＃2とＡＯＴＴのＧＲ＃1、およびＡＴＴ＿ＧＲ＃３とＡＯＴＴ＿ＧＲ＃２は、それぞれ同一のＡＴＴから構成され、ＴＴ＿ＧＲ内でのＡＴＴの順番も同一となっている。
【０１７５】
図２４は、図３のＤＶＤオーディオゾーン内のオーディオタイトルセット（ＡＴＳ）の記録内容を説明する図である。
【０１７６】
オーディオタイトルセットＡＴＳは、オーディオタイトルセット情報ＡＴＳＩと、オーディオ・オンリータイトル用オーディオオブジェクトセットＡＯＴＴ＿ＡＯＢＳと、オーディオタイトルセット情報のバックアップＡＴＳＩ＿ＢＵＰとで構成されている。
【０１７７】
オーディオタイトルセット情報ＡＴＳＩは、オーディオタイトルセット管理テーブルＡＴＳＩ＿ＭＡＴおよびオーディオタイトルセットプログラムチェーン情報テーブルＡＴＳ＿ＰＧＣＩＴを含んでいる。
【０１７８】
そして、オーディオタイトルセットプログラムチェーン情報テーブルＡＴＳ＿ＰＧＣＩＴは、オーディオタイトルセットプログラムチェーン情報テーブル情報ＡＴＳ＿ＰＧＣＩＴＩと、オーディオタイトルセットプログラムチェーン情報サーチポインタＡＴＳ＿ＰＧＣＩ＿ＳＲＰと、１以上のオーディオタイトルセットプログラムチェーン情報ＡＴＳ＿ＰＧＣＩとを含んでいる。
【０１７９】
図２５は、図２４のオーディオタイトルセット情報管理テーブルＡＴＳＩ＿ＭＡＴの記録内容を示す。
【０１８０】
すなわち、このオーディオタイトルセット情報管理テーブルＡＴＳＩ＿ＭＡＴには、このオーディオマネージャ情報管理テーブルＡＭＧＩ＿ＭＡＴには、オーディオタイトルセット識別子（ＡＴＳＩ＿ＩＤ）；オーディオタイトルセットのエンドアドレス（ＡＴＳ＿ＥＡ）；オーディオタイトルセット情報のエンドアドレス（ＡＴＳＩ＿ＥＡ）；採用されたオーディオ規格のバージョン番号（ＶＥＲＮ）；オーディオタイトルセット情報管理テーブルのエンドアドレス（ＡＴＳＩ＿ＭＡＴ＿ＥＡ）；オーディオ・オンリータイトルＡＯＴＴ用ビデオタイトルセットＶＴＳのスタートアドレス（ＶＴＳ＿ＳＡ）；オーディオ・オンリータイトル用オーディオオブジェクトセットのスタートアドレス（ＡＯＴＴ＿ＡＯＢＳ＿ＳＡ）またはオーディオ・オンリータイトル用ビデオオブジェクトセットのスタートアドレス（ＡＯＴＴ＿ＶＯＢＳ＿ＳＡ）；オーディオタイトルセット用プログラムチェーン情報テーブルのスタートアドレス（ＡＴＳ＿ＰＧＣＩＴ＿ＳＡ）；オーディオ・オンリータイトル用オーディオオブジェクトセットの属性（ＡＯＴＴ＿ＡＯＢＳ＿ＡＴＲ）またはオーディオ・オンリータイトル用ビデオオブジェクトセットの属性（ＡＯＴＴ＿ＶＯＢＳ＿ＡＴＲ）＃０〜＃７；オーディオタイトルセットデータミックス係数（ＡＴＳ＿ＤＭ＿ＣＯＥＦＴ）＃０〜＃１５；オーディオタイトルセットのスチル画属性（ＡＴＳ＿ＳＰＣＴ＿ＡＴＲ）；その他の予約エリアが設けられている。
【０１８１】
上記ＡＯＴＴ用ＶＴＳのスタートアドレスＶＴＳ＿ＳＡには、ＡＴＳがＡＯＴＴ＿ＡＯＢＳを持たないときは、ＡＯＴＴのために用いられるＶＴＳＴＴ＿ＶＯＢＳ（図８）を含むＶＴＳのスタートアドレスが書き込まれる。ＡＴＳがＡＯＴＴ＿ＡＯＢＳを持つときは「００００００００ｈ」がこのＶＴＳ＿ＳＡに書き込まれる。
【０１８２】
上記ＡＯＴＴ＿ＡＯＢＳ＿ＳＡには、ＡＴＳがＡＯＴＴ＿ＡＯＢＳを持つときは、ＡＴＳの最初の論理ブロックからの相対論理ブロック数でもって、ＡＯＴＴ＿ＡＯＢＳのスタートアドレスが書き込まれる。一方、ＡＴＳがＡＯＴＴ＿ＡＢＯＳを持たないときは、ＡＯＴＴ＿ＶＯＢＳ＿ＳＡには、ＶＴＳＴＴ＿ＶＯＢＳのスタートアドレスが、ＡＴＳのために用いられるＶＴＳＴＴ＿ＶＯＢＳを含むＶＴＳの最初の論理ブロックからの相対論理ブロック数でもって、書き込まれる。
【０１８３】
上記ＡＴＳ＿ＰＧＣＩＴ＿ＳＡには、ＡＴＳＩの最初の論理ブロックからの相対論理ブロック数でもって、ＡＴＳ＿ＰＧＣＩＴのスタートアドレスが書き込まれる。
【０１８４】
上記ＡＯＴＴ＿ＡＯＢＳ＿ＡＴＲまたはＡＯＴＴ＿ＶＯＢ＿ＡＲＴは、＃０から＃７まで８つ用意されている。ＡＴＳがＡＯＴＴ＿ＡＯＢＳを持つときは、ＡＴＳに記録されたＡＯＴＴ＿ＡＯＢの属性がＡＯＴＴ＿ＡＯＢＳ＿ＡＴＲに書き込まれる。一方、ＡＴＳがＡＯＴＴ＿ＡＯＢＳを持たないときは、ＡＯＴＴ＿ＶＯＢ＿ＡＲＴには、ＡＴＳ内のＡＯＴＴ＿ＶＯＢのために用いられるＶＯＢ内のオーディオストリームの属性が書き込まれる。このＡＯＴＴ＿ＡＯＢＳ＿ＡＴＲまたはＡＯＴＴ＿ＶＯＢ＿ＡＲＴには、採用されたサンプリング周波数（４４〜１９２ｋＨｚ）および量子化ビット数（１６〜２４ビット）が書き込まれている。
【０１８５】
上記ＡＴＳ＿ＤＭ＿ＣＯＥＦＴは、ＡＣ−３やＤＴＳ等のようなマルチチャネル出力（５．１チャネル出力）を持つオーディオデータを２チャネル出力にミックスダウンする際の係数を示すもので、ＡＴＳ内に記録された１以上のＡＯＴＴ＿ＡＯＢでのみ使用される。ＡＴＳがＡＯＴＴ＿ＡＯＢＳを持たないときは、１６個（＃０〜＃１５）あるＡＴＳ＿ＤＭ＿ＣＯＥＦＴそれぞれの全ビットに、「０ｈ」が書き込まれる。この１６個（＃０〜＃１５）のＡＴＳ＿ＤＭ＿ＣＯＥＦＴのためのエリアは定常的に設けられている。
【０１８６】
上記ＡＴＳ＿ＳＰＣＴ＿ＡＴＲは、ＡＯＴＴ＿ＡＯＢＳ内の各スチル画のためのスチル画ストリームの属性を示す。ＡＯＴＴ＿ＡＯＢＳにスチル画がないときは、ＡＴＳ＿ＳＰＣＴ＿ＡＴＲには「００００ｈ」が書き込まれる。このスチル画の各フィールドは、ＡＯＴＴ＿ＡＯＢＳ内の各スチル画のビデオストリームに記録された情報に合わせてある。
【０１８７】
各ＡＴＳ＿ＳＰＣＴ＿ＡＴＲは１６ビットで構成され、ＭＳＢ側の２ビット（ビットｂ１５〜ｂ１４）はビデオ圧縮モード（ＭＰＥＧ２等）を表し、次の２ビット（ビットｂ１３〜ｂ１２）はＴＶシステム（ＮＴＳＣ、ＰＡＬ、ＳＥＣＡＭ等）を表し、次の２ビット（ビットｂ１１〜ｂ１０）は画像のアスペクト比（４：３、１６：９等）を表し、次の２ビット（ビットｂ９〜ｂ８）は表示モード（４：３サイズのＴＶモニタにおける４：３表示、１６：９表示、レターボックス表示等）を表している。次の２ビット（ビットｂ７〜ｂ６）は将来に備えての予約ビットである。次の３ビット（ビットｂ５〜ｂ３）は、スチル画の解像度（ＮＴＳＣシステムにおける水平７２０本ｘ垂直４８０本、ＰＡＬシステムにおける水平７２０本ｘ垂直５７６本等）を表している。ＬＳＢ側の最後の３ビット（ビットｂ２〜ｂ０）も、将来に備えての予約ビットである。
【０１８８】
図２６は、図２４のオーディオタイトルセット情報ＡＴＳＩに含まれるオーディオタイトルセットプログラムチェーン情報テーブルＡＴＳ＿ＰＧＣＩＴの内容を説明する図である（このＡＴＳ＿ＰＧＣＩＴの記録位置は図２５のＡＴＳＩ＿ＭＡＴのＡＴＳ＿ＰＧＣＩＴ＿ＳＡに書き込まれている）。
【０１８９】
このＡＴＳ＿ＰＧＣＩＴは、前述したように、オーディオタイトルセットプログラムチェーン情報テーブル情報ＡＴＳ＿ＰＧＣＩＴＩと、オーディオタイトルセットプログラムチェーン情報サーチポインタＡＴＳ＿ＰＧＣＩ＿ＳＲＰと、オーディオタイトルセットプログラムチェーン情報ＡＴＳ＿ＰＧＣＩとを含んでいる。
【０１９０】
上記ＡＴＳ＿ＰＧＣＩ＿ＳＲＰは１以上のオーディオタイトルセット用プログラムチェーン情報サーチポインタ（ＡＴＳ＿ＰＧＣＩ＿ＳＲＰ＃１〜ＡＴＳ＿ＰＧＣＩ＿ＳＲＰ＃ｊ）を含み、上記ＡＴＳ＿ＰＧＣＩはＡＴＳ＿ＰＧＣＩ＿ＳＲＰと同数のオーディオタイトルセット用プログラムチェーン情報（ＡＴＳ＿ＰＧＣＩ＃１〜ＡＴＳ＿ＰＧＣＩ＃ｊ）を含んでいる。
【０１９１】
各ＡＴＳ＿ＰＧＣＩは、オーディオタイトルセット用プログラムチェーンＡＴＳ＿ＰＧＣの再生を制御するナビゲーションデータとして機能する。
【０１９２】
ここで、ＡＴＳ＿ＰＧＣは、オーディオ・オンリータイトルＡＯＴＴを定義する単位であり、ＡＴＳ＿ＰＧＣＩと１以上のセル（ＡＯＴＴ＿ＡＯＢＳ内のセルまたはＡＯＴＴのオブジェクトとして用いられるＡＯＴＴ＿ＶＯＢＳ内のセル）とから構成される。
【０１９３】
各ＡＴＳ＿ＰＧＣＩは、オーディオタイトルセット用プログラムチェーンの一般情報（ＡＴＳ＿ＰＧＣ＿ＧＩ）と、オーディオタイトルセット用プログラム情報テーブル（ＡＴＳ＿ＰＧＣＩＴ）と、オーディオタイトルセット用セル再生情報テーブル（ＡＴＳ＿Ｃ＿ＰＢＩＴ）を含んでいる。
【０１９４】
上記ＡＴＳ＿ＰＧＣＩＴは１以上のオーディオタイトルセット用プログラム情報（ＡＴＳ＿ＰＧＩ＃１〜ＡＴＳ＿ＰＧＩ＃ｋ）を含み、上記ＡＴＳ＿Ｃ＿ＰＢＩＴはＡＴＳ＿ＰＧＩと同数のオーディオタイトルセット用セル再生情報（ＡＴＳ＿Ｃ＿ＰＢＩ＃１〜ＡＴＳ＿Ｃ＿ＰＢＩ＃ｋ）を含んでいる。
【０１９５】
図２７は、図２６のオーディオタイトルセットプログラム情報ＡＴＳ＿ＰＧＩの内容を示す。
【０１９６】
このＡＴＳ＿ＰＧＩは、オーディオタイトルセット用プログラムの内容（ＡＴＳ＿ＰＧ＿ＣＮＴ）と、ＡＴＳ＿ＰＧのエントリセル番号（ＡＴＳ＿ＰＧ＿ＥＮ＿ＣＮ）と、スチル画のための内部標準記録コード（ＩＳＲＣ＿ＳＰＣＴ）と、ＡＴＳ＿ＰＧ内の最初のオーディオセルの再生開始時間（ＦＡＣ＿ＳＴ＿ＰＴＭ）と、ＡＴＳ＿ＰＧの再生時間（ＡＴＳ＿ＰＧ＿ＰＢ＿ＴＭ）と、ＡＴＳ＿ＰＧのポーズ時間（ＡＴＳ＿ＰＧ＿ＰＡ＿ＴＭ）を含んでいる。
【０１９７】
上記ＡＴＳ＿ＰＧ＿ＣＮＴは、先行プログラムと現在プログラムとの間の物理配置の関係を示す記述と；先行プログラムと現在プログラムとの間の再生タイムスタンプの関係を示す記述と；ＡＯＢの属性またはＡＴＳ＿ＰＧのＶＯＢ内のオーディオストリームの属性を示す記述（ＡＴＲＮ）と；ＡＴＳＩ＿ＭＡＴで定義されたＡＯＴＴ＿ＡＯＢ＿ＡＲＴまたはＡＯＴＴ＿ＶＯＢ＿ＡＲＴの番号を持つＡＴＳ＿ＰＧ（ＡＯＢ＿ＰＧ）内のＡＯＢのダウンミックスを、ＡＴＳＩ＿ＭＡＴで定義されたＡＴＳ＿ＤＭ＿ＣＯＥＦＴの番号を用いて行なうための係数テーブル番号を示す記述（ＤＭ＿ＣＯＥＦＴＮ）とを含んでいる。
【０１９８】
上記ＡＴＳ＿ＰＧ＿ＥＮ＿ＣＮは、ＡＴＳ＿ＰＧを構成する最初のＡＴＳセルの番号（１から２５５まで）の記述を含んでいる。
【０１９９】
上記ＩＳＲＣ＿ＳＰＣＴは、ＡＴＳ＿ＰＧ内のスチル画のための内部標準記録コード（ＩＳＲＣ）の記述を含んでいる。ＡＴＳ＿ＰＧ内にスチル画がないときは、このＩＳＲＣ＿ＳＰＣＴの全ビットには「０」が書き込まれる。
【０２００】
上記ＦＡＣ＿ＳＴ＿ＰＴＭは、ＡＴＳ＿ＰＧ内の最初のオーディオセルの先頭オーディオパケットに記述された再生タイムスタンプ（またはプレゼンテーションタイムスタンプＰＴＳ）の、下位３２ビットの記述を含んでいる。
【０２０１】
上記ＡＴＳ＿ＰＧ＿ＰＢ＿ＴＭは、ＡＴＳ＿ＰＧ内の各セルのトータル再生時間を記述したものである。このトータル再生時間（秒）は、ＡＴＳ＿ＰＧ＿ＰＢ＿ＴＭ（３２ビットデータ）を９００００で割った値として得られる。
【０２０２】
上記ＡＴＳ＿ＰＧ＿ＰＡ＿ＴＭは、ＡＴＳ＿ＰＧの最初に定義することができるポーズ時間を記述したものである。このポーズ時間（秒）は、ＡＴＳ＿ＰＧ＿ＰＡ＿ＴＭ（３２ビットデータ）を９００００で割った値として得られる。
【０２０３】
図２８は、図２６のオーディオタイトルセットセル再生情報ＡＴＳ＿Ｃ＿ＰＢＩの内容を示す。
【０２０４】
このＡＴＳ＿Ｃ＿ＰＢＩは、オーディオタイトルセットのセル（ＡＴＳ＿Ｃ）のインデックス番号（ＡＴＳ＿Ｃ＿ＩＸＮ）と、ＡＴＳ＿Ｃのタイプ（ＡＴＳ＿Ｃ＿ＴＹ）と、ＡＴＳ＿Ｃのスタートアドレス（ＡＴＳ＿Ｃ＿ＳＡ）と、ＡＴＳ＿Ｃのエンドアドレス（ＡＴＳ＿Ｃ＿ＥＡ）とを含んでいる。
【０２０５】
上記ＡＴＳ＿Ｃ＿ＩＸＮには、ＡＴＴがＡＯＢＳを持たないときは、「０１ｈ」が書き込まれる。
【０２０６】
ＡＴＴがＡＯＢＳを持つときは、ＡＴＴ＿Ｃの内容に応じて、ＡＴＳ＿Ｃ＿ＩＸＮの内容は、次のようになる：
＊ＡＴＳ＿Ｃが前述したサイレントセルまたはピクチャセルである場合、このＡＴＳ＿Ｃのインデックス番号として、ＡＴＳ＿Ｃ＿ＩＸＮには、「００ｈ」が書き込まれ；
＊ＡＴＳ＿Ｃが前述したオーディオセルである場合、このＡＴＳ＿Ｃのインデックス番号として、ＡＴＳ＿Ｃ＿ＩＸＮには、「１」〜「９９」が書き込まれる。
【０２０７】
ＡＴＳ＿ＰＧ内の最初のオーディオセル（ピクチャセルおよびサイレントセルを除き番号の小さいＡＴＳ＿Ｃを持つもの）のインデックス番号は、「１」に設定される。同様なインデックス番号を、ＡＴＳ＿ＰＧ内の１以上のＡＴＳ＿Ｃに適宜割り当ててもよい。
【０２０８】
上記ＡＴＳ＿Ｃ＿ＴＹの全ビットには、ＡＴＴがＡＯＢＳを持たないときは、「０」が書き込まれる。
【０２０９】
一方、ＡＴＴがＡＯＢＳを持つときは、ＡＴＳ＿Ｃ＿ＴＹには、ＡＴＴ＿Ｃの構成（ＡＴＳ＿Ｃ＿ＣＯＭＰ）およびその用途（ＡＴＳ＿Ｃ＿Ｕｓａｇｅ）が書き込まれる。
【０２１０】
すなわち、該当セルがオーディオデータのみからなるオーディオセルである場合はＡＴＳ＿Ｃ＿ＣＯＭＰ（２ビット）に「００ｂ」が書き込まれ；
該当セルがオーディオデータおよびリアルタイム情報からなるオーディオセルである場合はＡＴＳ＿Ｃ＿ＣＯＭＰ（２ビット）に「０１ｂ」が書き込まれ；
該当セルが無音用のオーディオデータのみからなるサイレントセルである場合はＡＴＳ＿Ｃ＿ＣＯＭＰ（２ビット）に「１０ｂ」が書き込まれ；
該当セルがスチル画データのみからなるピクチャセルである場合はＡＴＳ＿Ｃ＿ＣＯＭＰ（２ビット）に「１１ｂ」が書き込まれる。
【０２１１】
また、ＡＴＳ＿Ｃ＿Ｕｓａｇｅには、オーディオマネージャメニューＡＭＧＭの表示中の特定部分を目立たせる（スポットライトをあてる）ための「スポットライト部」である等の用途を示すデータ（０００１ｂ）が書き込まれる。
【０２１２】
ＡＴＳがＡＯＴＴ＿ＡＯＢＳを持つ場合、上記ＡＴＳ＿Ｃ＿ＳＡには、ＡＴＳ＿Ｃが記録されたＡＯＴＴ＿ＡＯＢＳの最初の論理ブロックからの相対論理ブロック番号で表したＡＴＳ＿Ｃのスタートアドレスが、記述される。
【０２１３】
一方、ＡＴＳがＡＯＴＴ＿ＡＯＢＳを持たない場合、上記ＡＴＳ＿Ｃ＿ＳＡには、ＡＴＳ＿Ｃが記録されたＡＯＴＴ＿ＶＯＢＳの最初の論理ブロックからの相対論理ブロック番号で表したＡＴＳ＿Ｃのスタートアドレスが、記述される。
【０２１４】
ＡＴＳがＡＯＴＴ＿ＡＯＢＳを持つ場合、上記ＡＴＳ＿Ｃ＿ＥＡには、ＡＴＳ＿Ｃが記録されたＡＯＴＴ＿ＡＯＢＳの最初の論理ブロックからの相対論理ブロック番号で表したＡＴＳ＿Ｃのエンドアドレスが、記述される。
【０２１５】
一方、ＡＴＳがＡＯＴＴ＿ＡＯＢＳを持たない場合、上記ＡＴＳ＿Ｃ＿ＥＡには、ＡＴＳ＿Ｃが記録されたＶＴＳＴＴ＿ＶＯＢＳの最初の論理ブロックからの相対論理ブロック番号で表したＡＴＳ＿Ｃのエンドアドレスが、記述される。
【０２１６】
図２９は、図１の光ディスク（ＤＶＤオーディオディスク）から図３のオーディオゾーンの記録情報あるいは図４のビデオゾーンの記録情報を再生する装置の一例を示すブロック図である。この再生装置は、オーディオだけでなくビデオ再生も可能なＤＶＤビデオ・ＤＶＤオーディオコンパチブルプレーヤの構成を取っている。（具体的な構成の説明は省略するが、このプレーヤは既存のＣＤ再生とコンパチブルでもよい。）
図１の光ディスク再生装置は、ユーザ操作を受け付けるリモートコントローラ５、リモートコントローラ５の操作状況を受信するリモートコントローラ受信部４Ａ、再生装置本体側でユーザ操作を受け付けるキー入力部４、およびユーザによる操作結果やＤＶＤオーディオディスク１０の再生状況等をユーザに通知するもので再生装置本体（および／またはリモートコントローラ）に設けられたパネル表示部４Ｂを備えている。それ以外の外部装置としては、モニタ部６およびスピーカー部８Ｌ／８Ｒが用意されている。（図示したスピーカ部は２チャネルステレオの場合であるが、マルチチャネル再生を行なう場合は必要数のスピーカシステムおよびその駆動アンプを別途用意することになる。）
キー入力部４、パネル表示部４Ｂ、リモートコントローラ５およびモニタ部６は、視覚上のユーザーインターフェイスを構成している。モニタ部６は、スチル画付ＤＶＤオーディオディスクの再生映像モニタとして使用されるだけでなく、オンスクリーンディスプレイＯＳＤ等の表示手段としても利用される。このモニタ部６は、直視型のＣＲＴディスプレイ、液晶ディスプレイ、プラズマディスプレイに限定されるものではなく、直視型ディスプレイの他に、大スクリーンにＯＳＤ情報を含む種々な映像（メニュー画面、録音現場の状況を撮影したスチル画その他）を投射するビデオプロジェクタであってもよい。
【０２１７】
リモートコントローラ５からのユーザ操作情報は、リモートコントローラ受信部４Ａを介して、再生装置全体の動作を制御するシステム制御部５０のマイクロコンピュータ（ＭＰＵまたはＣＰＵ）５００に通知される。この制御部５０は、ＭＰＵ５００により実行される制御プログラム等を格納したＲＯＭ５０２も含んでいる。
【０２１８】
キー入力部４からのユーザ操作情報は、ＭＰＵ５００に直接通知される。このＭＰＵ５００によって、ユーザ操作情報に対応した再生装置の動作状況（各種設定状態やＤＶＤディスクの再生情報）が、適宜、パネル表示部４Ｂに表示される。
【０２１９】
ＭＰＵ５００には、ＲＡＭ５２およびメモリインターフェイス（メモリＩ／Ｆ）５３が接続されている。このＲＡＭ５２の入出力制御は、メモリＩ／Ｆ５３を介して行われる。ＭＰＵ５００は、ＲＡＭ５２をワークエリアとして使用し、ＲＯＭ５０２に格納された各種処理プログラムに基づいて、ディスクドライブ部３０、システムプロセサ部５４、ビデオデコーダ部５８、オーディオデコーダ部６０、副映像デコーダ部６２、およびＤ／Ａ変換・再生処理部６４の動作を制御する。
【０２２０】
ディスクドライブ部３０は、再生装置本体のトレイ（図３０のＤＩＳＫ・ＴＲＡＹ・ＩＮＬＥＴの内部）にセットされたディスク１０を回転駆動するとともに、ディスク１０から記録データ（音声／音楽情報を含むオーディオデータの他、ディスク１０に記録されておれば、動画情報／静止画情報を含む主映像データ／ビデオデータ、字幕情報／メニュー情報を含む副映像データ等）を読み出す。読み出されたデータは、ディスクドライブ部３０において、信号復調およびエラー訂正等の信号処理を受け、パック形式のデータ列（図６〜図８参照）となって、システムプロセサ部５４に送られる。
【０２２１】
システムプロセサ部５４は、ディスク１０から再生されたデータに含まれる種々なパケットの種別を判断して、そのパケット内のデータを対応する各デコーダ（５８〜６２）へ配送するパケット転送処理部（図示せず）を有している。
【０２２２】
このパケット転送処理部は、ディスクドライブ部３０からのパック形式データ列を、パックの種類（ナビゲーションパック、ビデオパック、副映像パック、オーディオパック、リアルタイム情報パック、およびスチル画パック）毎に切り分ける。切り分けられたパックそれぞれには、転送時間データおよびデータの種類を示すＩＤデータが記録されている。
【０２２３】
システムプロセサ部５４は、これらの転送時間データおよびＩＤデータを参照して、ビデオパック、副映像パック、およびビデオパックを、それぞれ、ビデオデコーダ部５８、副映像デコーダ部６２、およびオーディオデコーダ部６０へ、転送する。なお、スチル画パックはビデオデコーダ部５８に送られる。サイレントセルに相当するオーディオパックあるいはリアルタイム情報パックは、オーディオデコーダ部６０に送られる。
【０２２４】
また、システムプロセサ部５４は、ナビゲーションパック内の制御データを、メモリＩ／Ｆ５３を介してＲＡＭ５２に転送する。ＭＰＵ５００は、転送されたＲＡＭ内の制御データを参照して、再生装置本体の各部の再生動作を制御する。
【０２２５】
ビデオデコーダ部５８は、システムプロセサ部５４から転送されてきたビデオパック内のＭＰＥＧエンコードされたビデオデータをデコードし、圧縮前の映像データを生成する。
【０２２６】
副映像デコーダ部６２は、システムプロセサ部５４から転送されてきた副映像パック内のランレングス圧縮された副映像データをデコードし、圧縮前のビットマップ副映像データを生成する。
【０２２７】
この副映像デコーダ部６２には、システムプロセサ部５４からの副映像データをデコードする副映像デコーダの他に、デコード後の副映像データに対してハイライト処理（ＤＶＤビデオの場合）またはスポットライト処理（ＤＶＤオーディオの場合）を行うハイライト処理部（図示せず）が設けられている。
【０２２８】
上記副映像デコーダは、所定の規則にしたがってランレングス圧縮された所定ビット（２ビット）単位の画素データ（強調画素、パターン画素、背景画素等を含む）を伸長し元のビットマップ画像を復元するものである。
【０２２９】
上記図示しないハイライト処理部は、ＭＰＵ５００から供給されるハイライト情報またはスポットライト情報（たとえばメニュー選択選択項目）が表示される矩形領域を示すＸ・Ｙ座標値、色コード、およびハイライト色（スポットライト色）／コントラスト値に応じて、対応するハイライト処理（スポットライト処理）を行うものである。
【０２３０】
このハイライト処理（スポットライト処理）は、モニタ部６上での視覚的なユーザーインターフェイスにおいて、ユーザが表示された特定のアイテム（再生音声言語の種類や再生字幕の使用言語の種類等の特定項目を選択するボタン；あるいは再生音のサンプリング周波数や量子化ビット数や再生チャネル数等の特定項目を選択するボタン）を容易に認知できるようにする手段として利用できる。
【０２３１】
デコード後の副映像データの画素毎の色とコントラストが前記ハイライト情報（スポットライト情報）に応じて変更されると、この変更後の副映像データはビデオプロセサ部６４０内の画像合成部（図示せず）に供給される。この画像合成部においてデコード後の画像データとハイライト処理（スポットライト処理）後の副映像データが合成され、その合成画像がモニタ部６で表示されるようになる。
【０２３２】
前述したＲＡＭ５２は、副映像メニュー、オーディオメニュー、アングルメニュー、チャプター（プログラム）メニューなどのスタートアドレスを格納するメニューテーブルを含んでいる。これらのメニューの特定部分を強調するのに、前記ハイライト処理（スポットライト処理）が利用される。
【０２３３】
オーディオデコーダ部６０は、システムプロセサ部５４から転送されてきたオーディオパック内のオーディオデータをデコードし、モノラル、２チャネルステレオ、あるいは多チャネルステレオの音声データを生成する。オーディオパック内のオーディオデータが圧縮エンコードされたデータ（ＭＰＥＧ、ＡＣー３等）の場合はそのデコード処理もオーディオデコーダ部６０内部で実行される。
【０２３４】
ビデオデコーダ部５８でデコードされた映像データ（通常は動画信号）および副映像デコーダ部６２でデコードされた副映像データ（通常は字幕またはメニューのビットマップデータ）は、ビデオプロセサ部６４０に転送される。このビデオプロセサ部６４０内において、映像データと副映像データは所定の割合で混合され、最終的なアナログ映像信号（コンポジットビデオ信号、セパレートＳ信号、あるいはコンポーネント信号Ｙ／Ｃｒ／Ｃｂ）となって、モニタ部６に出力される。
【０２３５】
ビデオデコーダ部５８でデコードされた映像データがＤＶＤビデオディスク１０の映画の本編部分のときは、副映像データは通常はユーザが選択した言語の字幕であり、字幕入りの映画本編がモニタ部６で上演される。
【０２３６】
ビデオデコーダ部５８でデコードされた映像データが映画のメニュー部分のときは、副映像データは通常はメニューを構成する文字およびユーザ選択ボタン（適宜ハイライト処理される）となる。この場合は、映像データによりメニューの背景（静止画または動画）がモニタ部６に表示され、副映像データによりユーザ選択操作に対応して表示が変化するボタンが背景画の上に重なって表示される。
【０２３７】
一方、ビデオデコーダ部５８でデコードされた映像データがＤＶＤオーディオディスク１０のスチル画であるときは、副映像データは、たとえばユーザが選択した言語の解説テキストであり、その場合はテキスト入りのスチル画がモニタ部６に表示される。
【０２３８】
なお、ビデオプロセサ部６４０はオンスクリーンディスプレイの表示データを発生するＯＳＤ部を含んでいる。リモートコントローラ５等からのユーザ操作はＭＰＵ５００で処理され、その処理結果はＭＰＵ５００からビデオプロセサ部６４０のＯＳＤ部に送られる。ＯＳＤ部は、ＭＰＵ５００からの処理結果に対応した画像データを発生し、それをアナログ映像信号形式でモニタ部６に送出する。
【０２３９】
別の言い方をすれば、ビデオプロセサ部６４０は、ビデオデコーダ部５８および副映像デコーダ部６２から出力されたディジタル信号をアナログ信号に変換し多重化する部分といえる。
【０２４０】
ビデオプロセサ部６４０には、フレームメモリ部６４２が接続されている。このフレームメモリ部６４２は、上記映像データの画像および副映像データの画像の多重化に使用されるほか、ｎ分割（たとえば４分割）マルチ画面表示にも利用される。
【０２４１】
このフレームメモリ部６４２は、チャプターサーチ等が行われる場合において、ビデオデコーダ部５８からの映像の一部をスチル画として固定し、ターゲットチャプターの再生が始まるまでこのスチル画をモニタ部６に送る場合に、使用することができる。
【０２４２】
さらに、このフレームメモリ部６４２は、ユーザ操作結果に対応した表示をＯＳＤにより行なう場合に、そのＯＳＤ表示の映像データへの多重化を行なうときにも、利用することができる。
【０２４３】
オーディオデコーダ部６０でデコードされたオーディオデータは、ＤＡＣ・出力回路６４４に転送される。ＤＡＣ・出力回路６４４によりオーディオデコーダ部６０からのオーディオデータ（デジタル）は対応するアナログ音声信号に変換され、適宜増幅されて、スピーカ部８Ｌ／８Ｒに送られる。
【０２４４】
図２５で説明したオーディオタイトルセット情報管理テーブルＡＴＳＩ＿ＭＡＴ内のＡＴＳ＿ＤＭ＿ＣＯＥＦＴの書き込みに基づき多チャネルオーディオを２チャネルにダウンミックスする場合、そのダウンミックスの係数（パラメータ）はＭＰＵ５００からＤＡＣ・出力回路６４４に送られる。すると、ＤＡＣ・出力回路６４４は、送られてきた係数に基づきオーディオデコーダ部６０でデコードされた多チャネルオーディオデータを２チャネルにミックスダウンし、２チャネルのアナログオーディオ信号を出力する。
【０２４５】
前記ビデオプロセサ部６４０、フレームメモリ部６４２およびＤＡＣ・出力回路６４４は、Ｄ／Ａ変換および再生処理部６４を構成している。
【０２４６】
なお、システムプロセサ部５４、ビデオデコータ部５８、オーディオデコーダ部６０および副映像デコーダ部６２は、それぞれ、動作タイミングを知るためのシステムタイムクロック（ＳＴＣ）およびシステムＭＰＵ５００からの指令・情報等を一時格納するレジスタを含んでいる。
【０２４７】
図３０は、図２９の再生装置のフロントパネルの一例を示す。このフロントパネルには、図２９のパネル表示部４Ｂに対応する蛍光表示部（ＦＬディスプレイ）４Ｂが設けられている。
【０２４８】
図３０のＦＬディスプレイ４Ｂには、ＡＭＧＩのオーディオテキストデータマネージャＡＴＸＴＤＴ＿ＭＧにしたがって、アルバム名および／またはグループ名が文字で表示される。図９の例でいえば、アルバム名として「ベートーベン作品集第１巻」が表示され、グループ名としてたとえば「交響曲第１番」が表示される。
【０２４９】
また、ＦＬディスプレイ４Ｂの左側数字表示部には、タイトル番号（ＤＶＤビデオの場合）あるいはグループ番号（ＤＶＤオーディオの場合）、トラック番号、およびインデックス番号が表示される。
【０２５０】
また、図３０のディスクトレイにセットされた光ディスク１０がＡＶディスクである場合（図２０のＡＴＴ＿ＳＲＰを持つディスク）、ＦＬディスプレイ４Ｂの右側やや中央よりの文字表示部において、図示するように、「ＡＶディスク」の部分が目立つように表示される。セットされたディスクがＡディスクである場合（図２２のＡＯＴＴ＿ＳＲＰを持つディスク）、ＦＬディスプレイ４Ｂの右側文字表示部において、「Ａディスク」の部分が目立つように表示される。セットされたディスクがＡＴＳを持たずＶＴＳだけのビデオディスクである場合（図１２のＡＴＳディレクトリがないディスク）、ＦＬディスプレイ４Ｂの右側文字表示部において、「ビデオディスク」の部分が目立つように表示される。
【０２５１】
さらに、ＦＬディスプレイ４Ｂの右側数字表示部には、これから再生されるオーディオコンテンツのサンプリング周波数および量子化ビット数が表示される。この表示は、オーディオタイトルセット情報管理テーブルＡＴＳＩ＿ＭＡＴ中のＡＯＴＴ＿ＡＯＢ＿ＡＴＲまたはＡＯＴＴ＿ＶＯＢ＿ＡＲＴの内容に基づいて、自動的に実行できる。
【０２５２】
ところで、ＤＶＤオーディオディスク（ＡディスクまたはＡＶディスク）１０を再生するＤＶＤオーディオプレーヤには、次の2種が考えられる。
【０２５３】
＜Ｃ１＞オーディオ規格の画と音を再生できるするプレーヤ、すなわちＡＯＴＴとＡＶＴＴの両方を扱うプレーヤ。
【０２５４】
＜Ｃ２＞オーディオ規格の音だけを再生できるプレーヤ、すなわちＡＯＴＴだけを扱うプレーヤ。
【０２５５】
上記＜Ｃ１＞タイプのプレーヤは、コンテンツ再生のためにはＡＴＴ＿ＳＲＰＴに記述されたサーチ情報（図２０）だけを読み込めばよい。
【０２５６】
一方、上記＜Ｃ２＞タイプのプレーヤは、コンテンツ再生のためにはＡＯＴＴ＿ＳＲＰＴに記述されたサーチ情報（図２２）だけを読み込めばよい。
【０２５７】
このようにすれば、各タイプのプレーヤでの再生方法が簡単になる。当然ながら、＜Ｃ２＞タイプのプレーヤは図２３におけるＡＴＴ＃1、＃9の部分はＡＯＴＴがないため再生できない。
【０２５８】
前述した図２９のＤＶＤオーディオプレーヤは、上記＜Ｃ１＞タイプのプレーヤである。このプレーヤの動作を、図１４のデータ構造を持つディスク１０を再生する場合について説明する。
【０２５９】
図１４のデータ構造を持つディスク１０を通常のＤＶＤビデオプレーヤで再生する場合、このビデオプレーヤは、図１２のルートディレクトリ下のＶＴＳディレクトリ内のＶＭＧを読み込み、その情報によって再生するタイトルを決定する。そして、決定したタイトルに対応するＶＴＳ中で定義された再生ユニットの指示にしたがって、図１４のオブジェクトセットＶＯＢS＃１あるいはＶＯＢS＃２の全てあるいは一部が再生される。
【０２６０】
図１４のデータ構造において、ビデオプレーヤにとっては、ＶＭＧ、ＶＴＳ＃１、ＶＴＳ＃２以外の部分は他記録エリア７３（図３、図４）として認識される。このため、他記録エリア７３と認識された部分にどのようなデータが記述されていてもビデオプレーヤがＶＯＢＳ＃１、ＶＯＢＳ＃２を再生する時の動作には影響しない。この場合、他記録エリア７３に存在するオブジェクトはビデオプレーヤでは再生できない。
【０２６１】
一方、図１４のデータ構造を持つディスク１０を図２９のＤＶＤオーディオプレーヤで再生する場合では、このオーディオプレーヤは、図１２のルートディレクトリ下のＡＴＳディレクトリ内のＡＭＧを読み込み、その情報に基づいてコンテンツを再生する。ＡＭＧによるタイトル指定においては、ＤＶＤオーディオゾーン７１（図３）に記録されているＡＴＳ内で定義された再生ユニットの指定はもちろんのこと、ＤＶＤビデオゾーン７２（図４）に記録されたＶＴＳ内で定義された再生ユニットも指定可能である。
【０２６２】
ＡＴＳ内で定義される再生ユニットは、ＤＶＤオーディオゾーン７１に記録されているオブジェクト（ＡＯＢＳ＃１またはＡＯＢＳ＃２）の再生経路を指定するばかりでなく、ＤＶＤビデオゾーン７２のオブジェクト（たとえばＶＯＢＳ＃１）に記録されているオーディオデータの再生経路を指定することも可能である。
【０２６３】
図１４中の斜線でマークされたＶＯＢＳ＃１は、ＤＶＤオーディオ側から共用化されたＤＶＤビデオの一部分を例示している。ここで、矢印（ア）はビデオゾーン７２の再生ユニットが参照された場合を示し、矢印（イ）はオーディオゾーン７１の再生ユニットからビデオゾーン７２のオブジェクト（ＶＯＢＳ＃１）のオーディオ部分が参照された場合を示す。
【０２６４】
ビデオゾーン７２のオブジェクト（ＶＯＢＳ＃１）のオーディオ部分がオーディオゾーン７１の再生ユニットによって参照される場合、この共通参照部分（ＤＶＤオーディオとＤＶＤビデオとで共有化する部分）は、再生ユニットの定義情報（ＡＴＳＩ）によって、ビデオゾーン７２内での再生ユニットの定義情報（ＶＴＳＩ）によって定義された各単位（セル、プログラム、プログラムチェーン）と異なった定義をすることも可能である。これは、同じオブジェクトであってもビデオプレーヤとしての再生方法とオーディオプレーヤとしての再生方法が異なる可能性があるからである（図５参照）。
【０２６５】
なお、上記共有化部分は、ビデオオブジェクトユニットＶＯＢＵを単位として使用される。その理由は、図８に示されるように、オーディオデータストリームおよびその他（ビデオ、副映像）のデータストリームがそれぞれパック化されて時分割多重される単位が、ＶＯＢＵだからである。
【０２６６】
図１４に示すように、オーディオゾーン７１をビデオゾーン７２より物理的に先に配置することによって、それぞれの管理情報から指定される再生ユニットのアドレスを全て正方向のアドレス指定だけに限定できる。こうすることにより、オーディオプレーヤの設計開発を簡易化できる。
【０２６７】
なお、図１６のデータ構造におけるビデオプレーヤの動作は、上述した図１４の場合と同じである。
【０２６８】
図１６のデータ構造におけるオーディオプレーヤの動作も、図１４の場合とほぼ同じである。オーディオプレーヤはＡＭＧの先頭に飛んで管理情報を読み込み、オブジェクトセットＡＯＢＳ＃１、ＡＯＢＳ＃２を再生する。ＡＯＢＳ＃１はＤＶＤビデオゾーン内のオブジェクトであるが、ＡＴＳＩ＃１によって、ＡＯＢＳ＃１のセル、プログラムおよびプログラムチェーンが再定義される。なお、ＡＯＢＳ＃１もＶＯＢＵを単位として使用される。
【０２６９】
以上述べた実施の形態では、ボリュームスペース２８に含まれるＤＶＤオーディオデータおよび／またはＤＶＤビデオデータが光ディスク１０に記録される場合で説明を行った。しかしながら、この発明のデータ構造（図３〜図２８）は光ディスク１０に記録される場合に限定されない。たとえば、図３および図１２に示すような構造のデータを含むビットストリームをデジタル放送あるいはデジタル通信してもよい。（この場合は、電波あるいは通信ラインが媒体として機能する。またＤＶＤ放送受信器あるいはパーソナルコンピュータ等の通信端末が、ＤＶＤオーディオプレーヤとして機能することになる。）
【０２７０】
【発明の効果】
この発明によれば、先行して実用化されたＤＶＤビデオ規格にはなんら手を加えない形で、ＤＶＤオーディオ規格のデータ構造を、ビデオ規格の構造に近似した形で実現できる。その際、ひとつのボリュームスペース中にオーディオボリュームがビデオボリュームのオブジェクトを共用する形で共存できる。このデータ構造で作成されたＤＶＤディスク（ＡディスクまたはＡＶディスク）は、ビデオプレーヤおよびオーディオプレーヤそれぞれにおいて、適切なオブジェクトを再生することができる。
【０２７１】
また、この発明のデータ構造は、先行するＤＶＤビデオと矛盾せずその一部を共有化できる特徴を持つので、ＤＶＤビデオとＤＶＤオーディオは協同して市場組織構造（インフラストラクチャ）を拡大できるメリットを持つ。このことは、再生装置および媒体その他の関連製品の製造コストを下げるという副産物的メリットももたらす。
【図面の簡単な説明】
【図１】ＤＶＤオーディオの記録媒体として利用可能な光ディスクの構造を説明する斜視図。
【図２】図１の光ディスクのデータ記録エリアとそこに記録されるデータの記録トラックとの対応関係を説明する図。
【図３】図２の光ディスクに記録される種々な情報のうち、ＤＶＤオーディオゾーンに記録される情報の階層構造を説明する図。
【図４】図２の光ディスクに記録される種々な情報のうち、ＤＶＤビデオゾーンに記録される情報の階層構造を説明する図。
【図５】図３のＤＶＤオーディオゾーンのプログラムチェーン情報（ＡＴＳ＿ＰＧＣＩ）および図４のＤＶＤビデオゾーンのプログラムチェーン情報（ＶＴＳ＿ＰＧＣＩ）の双方から共通にアクセスされるビデオ情報（ＶＴＳ＿Ｃ＃２など）の一例を説明する図。
【図６】図３のＤＶＤオーディオゾーンの記録内容（ＡＯＴＴ＿ＡＯＢＳ）のデータ構造の一例を説明する図。
【図７】図３のＤＶＤオーディオゾーンの記録内容（ＡＯＴＴ＿ＡＯＢＳ）のデータ構造の他例を説明する図。
【図８】図４のＤＶＤビデオゾーンの記録内容（ＶＴＳＴＴ＿ＶＯＢＳ）のデータ構造の一例を説明する図。
【図９】ユーザアクセス可能なＤＶＤオーディオの記録内容であって、図１の光ディスクの片面に記録されるデータ構造の一例を説明する図。
【図１０】図１の光ディスクに記録される情報（ＤＶＤオーディオおよびＤＶＤビデオのデータファイル）のディレクトリ構造の一例を説明する図。
【図１１】図１の光ディスクに記録される情報（ＤＶＤオーディオおよびＤＶＤビデオのデータファイル）のディレクトリ構造の他例を説明する図。
【図１２】図１０のディレクトリ構造において、オーディオコンテンツ側のディレクトリからビデオコンテンツ側のディレクトリ内のファイルにアクセスする場合を説明する図。
【図１３】図１０のディレクトリ構造において、オーディオコンテンツ側のディレクトリ内のファイルがビデオコンテンツ側のディレクトリ内のファイルにリンクする場合を説明する図。
【図１４】図１２のファイルアクセスが図３および図４のボリュームスペース内においてどのように行われるかの一例を説明する図。
【図１５】図１２のファイルアクセスが図３および図４のボリュームスペース内においてどのように行われるかの他の例を説明する図。
【図１６】図１２のファイルアクセスが図３および図４のボリュームスペース内においてどのように行われるかの、さらに他の例を説明する図。
【図１７】図３のＤＶＤオーディオゾーン内のオーディオマネージャ情報（ＡＭＧＩ）の記録内容を説明する図。
【図１８】図１７のオーディオマネージャ情報（ＡＭＧＩ）に含まれるオーディオマネージャ情報管理テーブル（ＡＭＧＩ＿ＭＡＴ）の記録内容を説明する図。
【図１９】図１７のオーディオマネージャ情報（ＡＭＧＩ）に含まれるオーディオタイトルのサーチポインタテーブル（ＡＴＴ＿ＳＲＰＴ）の内容を説明する図。
【図２０】図１９のオーディオタイトルのサーチポインタテーブル（ＡＴＴ＿ＳＲＰＴ）に含まれるオーディオタイトルサーチポインタ（ＡＴＴ＿ＳＲＰ）の内容を説明する図。
【図２１】図１７のオーディオマネージャ情報（ＡＭＧＩ）に含まれるオーディオ・オンリータイトルのサーチポインタテーブル（ＡＯＴＴ＿ＳＲＰＴ）の内容を説明する図。
【図２２】図２１のオーディオ・オンリータイトルのサーチポインタテーブル（ＡＯＴＴ＿ＳＲＰＴ）に含まれるオーディオ・オンリータイトルサーチポインタ（ＡＯＴＴ＿ＳＲＰ）の内容を説明する図。
【図２３】図１７のオーディオマネージャ情報（ＡＭＧＩ）内のオーディオ・オンリータイトルサーチポインタ（ＡＯＴＴ＿ＳＲＰ）でアクセスされるオーディオ・オンリータイトルのグループ（ＡＯＴＴ＿ＧＲ）と、このオーディオマネージャ情報（ＡＭＧＩ）内のオーディオタイトルサーチポインタ（ＡＴＴ＿ＳＲＰ）でアクセスされるオーディオタイトルのグループ（ＡＴＴ＿ＧＲ）との関係を説明する図。
【図２４】図３のＤＶＤオーディオゾーン内のオーディオタイトルセット（ＡＴＳ）の記録内容を説明する図。
【図２５】図２４のオーディオタイトルセット情報（ＡＴＳＩ）に含まれるオーディオタイトルセット情報管理テーブル（ＡＴＳＩ＿ＭＡＴ）の記録内容を説明する図。
【図２６】図２４のオーディオタイトルセット情報（ＡＴＳＩ）に含まれるオーディオタイトルセットプログラムチェーン情報テーブル（ＡＴＳ＿ＰＧＣＩＴ）の内容を説明する図。
【図２７】図２６のオーディオタイトルセットプログラム情報（ＡＴＳ＿ＰＧＩ）の内容を説明する図。
【図２８】図２６のオーディオタイトルセットセル再生情報（ＡＴＳ＿Ｃ＿ＰＢＩ）の内容を説明する図。
【図２９】図１の光ディスクから図３のオーディオゾーンの記録情報あるいは図４のビデオゾーンの記録情報を再生する装置の一例を示すブロック図。
【図３０】図２９の再生装置のフロントパネルの一例を示す図。
【符号の説明】
４…キー入力部
４Ａ…リモートコントローラ受信部
４Ｂ…パネル表示部（蛍光管表示器など）
５…リモートコントローラ
６…モニタ部
８Ｌ，８Ｒ…スピーカ
１０…貼合せ光ディスク（ＡディスクまたはＡＶディスク）
１４…透明基板（ポリカーボネートなど）
１７…記録層（反射層または半透明膜）
１９…読み出し面
２０…接着層（紫外線硬化樹脂など）
２２…中心孔
２４…クランプエリア
２５…情報エリア
２６…リードアウトエリア
２７…リードインエリア
２８…データ記録エリア（ボリュームスペース）
３０…ディスクドライブ部
５０…制御部
５００…マイクロプロセシングユニットＭＰＵ（またはセントラルプロセシングユニットＣＰＵ）
５０２…リードオンリーメモリＲＯＭ（制御プログラム等の格納）
５２…ランダムアクセスメモリＲＡＭ（制御部５０のワークメモリ）
５３…メモリインターフェイス
５４…システムプロセサ部
５８…ビデオデコーダ部
６０…オーディオデコーダ部
６２…副映像デコーダ部
６４…デジタル／アナログ変換および再生処理部
６４０…ビデオプロセサ部（オンスクリーン表示ＯＳＤ部を含む）
６４２…フレームメモリ部
６４４…デジタル／アナログ変換器および出力回路
７０…ボリュームおよびファイル構造エリア
７１…ＤＶＤオーディオゾーン
７１１…オーディオマネージャＡＭＧ
７１２…オーディオタイトルセットＡＴＳ
７１１０…オーディオマネージャ情報ファイルＡＭＧＩ
７１１１…オーディオマネージャメニュー用ビデオオブジェクトセットファイルＡＭＧＭ＿ＶＯＢＳ
７１１２…ＡＭＧＩのバックアップファイルＡＭＧＩ＿ＢＵＰ
７１２０…オーディオタイトルセット情報ファイルＡＴＳＩ
７１２１…オーディオ・オンリータイトルのオーディオオブジェクトセットＡＯＴＴ＿ＡＯＢＳ
７１２３…ＡＴＳＩのバックアップファイルＡＴＳＩ＿ＢＵＰ
７２…ＤＶＤビデオゾーン
７３…他の記録エリア
【図１】
0003842712.tif 000002
【図２】
0003842712.tif 000003
【図３】
0003842712.tif 000004
【図４】
0003842712.tif 000005
【図５】
0003842712.tif 000006
【図６】
0003842712.tif 000007
【図７】
0003842712.tif 000008
【図８】
0003842712.tif 000009
【図９】
0003842712.tif 000010
【図１０】
0003842712.tif 000011
【図１１】
0003842712.tif 000012
【図１２】
0003842712.tif 000013
【図１３】
0003842712.tif 000014
【図１４】
0003842712.tif 000015
【図１５】
0003842712.tif 000016
【図１６】
0003842712.tif 000017
【図１７】
0003842712.tif 000018
【図１８】
0003842712.tif 000019
【図１９】
0003842712.tif 000020
【図２０】
0003842712.tif 000021
【図２１】
0003842712.tif 000022
【図２２】
0003842712.tif 000023
【図２３】
0003842712.tif 000024
【図２４】
0003842712.tif 000025
【図２５】
0003842712.tif 000026
【図２６】
0003842712.tif 000027
【図２７】
0003842712.tif 000028
【図２８】
0003842712.tif 000029
【図２９】
0003842712.tif 000030
【図３０】
0003842712.tif 000031